(57)【要約】  イメージング・デバイスの中に新生児を位置決めするためのシステムおよび方法が提供される。カプセル・インキュベーター、カート、およびドッキング・インキュベーターは、イメージング・デバイスとインキュベーターとの間で乳児を移動させるために使用され、乳児をその環境から移動させる必要なしに、乳児がイメージングされ（ｉｍａｇｉｎｅｄ）得るようになっている。【選択図】図１
2019526345.tif 000002
【特許請求の範囲】
【請求項１】
イメージング・デバイスの中に新生児を位置決めするためのカプセル・インキュベーターであって、
所定の長さ、所定の幅、および、前記新生児をその上に位置決めするための内側表面を有する底部部分と、
ｉ）側部部分であって、前記底部部分の第１の長手方向縁部に沿って、前記底部部分に連結されており、前記底部部分の周りに回転可能であり、第１の側部部分は、前記底部部分の前記長さに等しい長さを有している、側部部分、および、ｉｉ）上部部分を含む、第１のフラップと、
ｉ）側部部分であって、前記底部部分の第２の長手方向縁部に沿って、前記底部部分に連結されており、前記底部部分の周りに回転可能であり、第２の側部部分は、前記底部部分の前記長さに等しい長さを有している、側部部分、および、ｉｉ）上部部分を含む、第２のフラップと
を含み、
前記第１のフラップおよび前記第２のフラップが、第１の位置へ回転させられ、前記第１のフラップの前記上部部分および前記第２のフラップの前記上部部分が接続するようになっており、前記新生児のための実質的に閉じられたハウジングを形成し、また、前記第１のフラップおよび前記第２のフラップが、第２の位置へ回転させられ、前記新生児のための実質的に開いたハウジングを形成する、カプセル・インキュベーター。
【請求項２】
前記カプセル・インキュベーターの第１の端部と切り離し可能に嵌合する無線周波数（ＲＦ）シールドをさらに含み、前記ＲＦシールドは、第１のアパーチャーおよび第２のアパーチャーを有する導管を含み、前記導管は、少なくとも５対１の長さ対幅の比率を有している、請求項１に記載のカプセル・インキュベーター。
【請求項３】
前記カプセル・インキュベーターの第２の端部と嵌合する無線周波数（ＲＦ）コイル位置決めシステムをさらに含む、請求項１に記載のカプセル・インキュベーター。
【請求項４】
カプセルは、非磁性材料から作製されている、請求項１に記載のカプセル・インキュベーター。
【請求項５】
カートの第２の嵌合エレメントと嵌合する第１の嵌合エレメントをさらに含み、前記カートは、前記カプセル・インキュベーターに接続し、前記カプセル・インキュベーターを輸送する、請求項１に記載のカプセル・インキュベーター。
【請求項６】
前記第１のフラップは、バック部分をさらに含み、前記第２のフラップは、バック部分をさらに含み、前記第１のフラップおよび前記第２のフラップが前記第１の位置へ回転させられているときに、前記第１のフラップの前記バック部分、および、前記第２のフラップの前記バック部分が接続する、請求項１に記載のカプセル・インキュベーター。
【請求項７】
プラグをさらに含み、前記プラグは、前記カプセル・インキュベーターの第１の端部または前記カプセル・インキュベーターの第２の端部の中へ挿入可能であり、前記第１の端部または前記第２の端部をそれぞれ閉じる、請求項１に記載のカプセル・インキュベーター。
【請求項８】
前記カプセル・インキュベーターの中に位置決めされているライトをさらに含む、請求項１に記載のカプセル・インキュベーター。
【請求項９】
カプセル・インキュベーターの中にいる新生児を収容するためのドック・インキュベーターであって、
前記カプセル・インキュベーターを受け入れ、前記新生児の第１の端部へのアクセスを許容するための第１のドアと、
前記新生児の第２の端部へのアクセスを許容するための第２のドアと、
前記新生児インキュベーターの中に前記カプセル・インキュベーターを位置決めするために、前記カプセル・インキュベーターの第２の嵌合エレメントと嵌合するための第１の嵌合エレメントと
を含む、ドック・インキュベーター。
【請求項１０】
前記第１の嵌合エレメントは、レールである、請求項９に記載のドック・インキュベーター。
【請求項１１】
前記第１の嵌合エレメントは、前記ドック・インキュベーターの底部表面の上に位置決めされている、請求項１０に記載のドック・インキュベーター。
【請求項１２】
少なくとも２つのノブをさらに含み、前記少なくとも２つのノブは、前記ドック・インキュベーターの内側に位置決めされ、前記ドック・インキュベーターの底部表面に連結されている、請求項９に記載のドック・インキュベーター。
【請求項１３】
前記第１のドアおよび前記第２のドアは、スライド可能なドアである、請求項９に記載のドック・インキュベーター。
【請求項１４】
前記ドック・インキュベーターは、非磁性材料から作製されている、請求項９に記載のドック・インキュベーター。
【請求項１５】
前記ドック・インキュベーターの中に位置決めされている１つまたは複数のライトをさらに含む、請求項９に記載のドック・インキュベーター。
【請求項１６】
任意の温度、騒音レベル、空気品質、および／または光レベルをセンシングする１つまたは複数のセンサーをさらに含む、請求項９に記載のドック・インキュベーター。
【請求項１７】
前記ドック・インキュベーターを移動させるための複数のホイールを有する輸送ベースをさらに含む、請求項９に記載のドック・インキュベーター。
【請求項１８】
カプセル・インキュベーターを輸送するためのカートであって、
少なくとも２つのホイールに連結されているベースと、
前記ベースに連結されており、前記ベースから垂直方向に延在しているピラーと、
前記カプセル・インキュベーターを前記カートに切り離し可能に取り付けるために前記ピラーに連結されているコネクターと、
前記コネクター、および、前記カプセル・インキュベーターの中の１つまたは複数の環境条件を制御するための制御パネルと
を含む、カート。
【請求項１９】
前記ベースは、ストレージ・コンパートメントをさらに含む、請求項１８に記載のカート。
【請求項２０】
前記ピラーは、中空になっており、アパーチャーをさらに含む、請求項１８に記載のカート。
【請求項２１】
前記ピラーは、テレスコープ式になっており、前記カートに接続されているカプセル・インキュベーターの高さが前記ベースに対して調節可能になっている、請求項１８に記載のカート。
【請求項２２】
前記カートは、前記ピラーに連結されている無線周波数（ＲＦ）シールドをさらに含み、前記ＲＦシールドは、第１のアパーチャーおよび第２のアパーチャーを有する導管を含み、前記導管は、少なくとも５対１の長さ対幅の比率を有している、請求項１８に記載のカート。
【請求項２３】
ハンドルをさらに含む、請求項１８に記載のカート。
【請求項２４】
前記制御パネルは、ディスプレイをさらに含む、請求項１８に記載のカート。
【請求項２５】
前記カートは、ＭＲＩ対応の材料から作製されている、請求項１８に記載のカート。
【請求項２６】
新生児をイメージング・デバイスへ輸送するためのシステムであって、
前記新生児を収容するためのカプセル・インキュベーターと、
前記カプセル・インキュベーターをその中に除去可能に位置決めするドック・インキュベーターと、
前記カプセル・インキュベーターを輸送するために前記カプセル・インキュベーターを切り離し可能に取り付けるためのカートと、
ボアを含むイメージング・デバイスであって、前記ボアは、前記カートに取り付けられているときの前記カプセル・インキュベーターを受け入れるためのものであり、前記カプセル・インキュベーターが前記ボアの中へ挿入されているときに、前記ボアが閉じられるようになっている、イメージング・デバイスと
を含む、システム。
【請求項２７】
前記カートまたはカプセルに連結されている無線周波数（ＲＦ）シールドをさらに含み、前記ＲＦシールドは、第１のアパーチャーおよび第２のアパーチャーを有する導管を含み、前記導管は、少なくとも５対１の長さ対幅の比率を有しており、前記ＲＦシールドは、前記ボアを閉じるために前記ボアと嵌合するようにサイズ決めされている、請求項２６に記載のシステム。
【請求項２８】
前記カートは、
少なくとも２つのホイールに連結されているベースであって、ストレージ・コンパートメントを有している、ベースと、
前記ベースに連結されており、前記ベースから垂直方向に延在しているピラーと、
前記カプセル・インキュベーターを前記カートに切り離し可能に取り付けるために前記ピラーに連結されているコネクターと、
前記コネクター、前記カプセルの中の１つまたは複数の環境条件、および前記イメージング・デバイスを制御するための制御パネルと
をさらに含む、請求項２６に記載のシステム。
【請求項２９】
前記ピラーは、アパーチャーを含み、１つまたは複数の医療用チューブが、前記ピラーから退出し、前記カプセルのアパーチャーに進入することができるようになっている、請求項２８に記載のシステム。
【請求項３０】
前記ドック・インキュベーターは、
前記カプセル・インキュベーターを受け入れ、前記新生児の第１の端部へのアクセスを許容するための第１のドアと、
前記新生児の第２の端部へのアクセスを許容するための第２のドアと、
前記新生児インキュベーターの中に前記カプセル・インキュベーターを位置決めするために、前記カプセル・インキュベーターの第２の嵌合エレメントと嵌合するための第１の嵌合エレメントと
をさらに含む、請求項２６に記載のシステム。
【請求項３１】
前記第１の嵌合エレメントおよび前記第２の嵌合エレメントは、レールおよびレール・ガイドであるか、または、インデントおよび前記インデントにマッチするローラーである、請求項３０に記載のシステム。
【請求項３２】
前記カプセル・インキュベーターの中に位置決めされているベッドをさらに含み、前記ベッドは、２つの枢動点を含み、その中に位置決めされているときの前記新生児を前記ベッドが包み込むことを可能にする、請求項２６に記載のシステム。
【請求項３３】
前記ベッドは、外側層と、内側層と、前記内側層と前記外側層との間に位置決めされているＲＦコイル層とを含む、請求項３２に記載のシステム。
【請求項３４】
前記ＲＦコイル層は、ロールされた可撓性のプリント回路基板である、請求項３３に記載のシステム。
【請求項３５】
前記ドック・インキュベーターは、少なくとも２つのノブを有しており、前記少なくとも２つのノブは、前記ドック・インキュベーターの内側に位置決めされており、前記ドック・インキュベーターの底部表面に連結されており、前記カプセル・インキュベーターが開いているときに、前記カプセル・インキュベーターの側部が前記ノブの上に置かれるようになっており、空気が前記ドック・インキュベーターの底部から前記カプセル・インキュベーターの周りに流れることを許容し、前記ドック・インキュベーターの中の空気フローを制御する、請求項２６に記載のシステム。
【請求項３６】
前記ドック・インキュベーターに切り離し可能に取り付けられる無線周波数（ＲＦ）コイル位置決めデバイスをさらに含む、請求項２６に記載のシステム。
【請求項３７】
カプセル・インキュベーターであって、
新生児をその上に位置決めするための表面であって、人間の乳児を位置決めするのに十分な幅および長さを有している、表面と、
少なくとも１つの閉鎖構造体であって、閉位置にあるときに、前記人間の乳児のためのハウジングを生成し、また、開位置にあるときに、前記人間の乳児へのアクセスを生成する、少なくとも１つの閉鎖構造体と、
前記カプセル・インキュベーターをカートに連結するための少なくとも１つの連結構造体と、
第１のアパーチャーおよび第２のアパーチャーを有する導管を含む無線周波数（ＲＦ）シールディング構造体であって、前記導管は、少なくとも５対１の長さ対幅の比率を有している、無線周波数（ＲＦ）シールディング構造体と、
を含む、カプセル・インキュベーター。
【発明の詳細な説明】
【技術分野】
【０００１】
関連出願の相互参照
本出願は、２０１６年８月２９日に出願された米国仮特許出願第６２／３８０，７５０号明細書、２０１６年８月２９日に出願された米国仮特許出願第６２／３８０，７５３号明細書、２０１６年８月２９日に出願された米国仮特許出願第６２／３８０，７５８号明細書、２０１６年８月３０日に出願された米国仮特許出願第６２／３８１，０７９号明細書、２０１６年８月３０日に出願された米国仮特許出願第６２／３８１，０８１号明細書、２０１６年８月２９日に出願された米国仮特許出願第６２／３８０，７６８号明細書、２０１７年２月１７日に出願された米国仮特許出願第６２／４６０，１７３号明細書、および、２０１７年３月１５日に出願された米国仮特許出願第６２／４７１，６７２号明細書からの利益および優先権を主張し、それらの内容全体は、その全体がすべて参照により本明細書に組み込まれている。
【０００２】
本発明は、乳児のイメージングに関する。とりわけ、本発明は、ドック・インキュベーターとイメージング・デバイスとの間で乳児を輸送するためのシステムに関する。
【背景技術】
【０００３】
新生児（たとえば、人間の乳児）は、典型的に、病院の中で医学的治療を受けているときにインキュベーターの中に維持されている。インキュベーターは、乳児の生命維持に関して適当な一定の環境条件（たとえば、温度、湿度、騒音レベル、振動レベル、光レベル、および／または、バクテリア／細菌）を提供し、乳児の回復を支援することが可能である。また、乳児インキュベーターは、典型的に、乳児およびインキュベーターへのさまざまな生命維持機器および／またはモニターの接続が、たとえば、摂食を提供すること、摂食をモニタリングすること、流体交換を実施すること、および／または、心臓活動をモニタリング／制御することを可能にする。
【０００４】
乳児の医学的治療の間に、乳児の処置および／またはイメージングは、病院に関するインキュベーターから外へ乳児を移動させることを必要とする可能性がある。乳児を輸送することは、乳児をインキュベーターの中のその制御された環境から移動させることを必要とする可能性があり、いくつかの場合には、乳児に取り付けられている生命維持機器（たとえば、人工呼吸器、酸素、点滴による投薬／水分補給など）を切り離すこと／再び取り付けることを必要とする可能性がある。
【０００５】
また、乳児を輸送することは、乳児が持ち上げられ、輸送デバイス（たとえば、大きい輸送インキュベーター）の中へ再位置決めされることを必要とする可能性があり、それは、乳児の物理的な位置および／または環境を乱す可能性がある。たとえば、外科手術を受けた乳児に関して、乳児を最小限に移動させること、縫合が開くリスクを低減させること、および／または、感染が傷口に進入することを許容するリスクを低減させることが、重要である可能性がある。
【０００６】
また、乳児を輸送することは、乳児が触れるすべての表面、および、接続されている／切り離されている機器のピースが、たとえば、望まれない細菌（たとえば、ブドウ球菌感染症）が乳児を感染させることを防止するために、殺菌されることを必要とする可能性がある。
【０００７】
乳児を輸送することは、典型的に、大きいインキュベーターの中で行われる。これは、重い可能性があり、いくつかの場合には、複数の医療従事者が乳児を輸送することを必要とする可能性がある。
【０００８】
生命維持装置の上の乳児が輸送されるときに、それは、乳児に対する断絶状態を必要とする可能性があり、したがって、乳児に対する断絶状態の損害が、輸送に関する理由から取得され得る利益（たとえば、乳児の生体構造の医療用イメージング）を何倍も上回る可能性がある。
【０００９】
したがって、乳児をその制御された環境から除去する必要なしに、および／または、生命維持機器を切り離す／再び取り付ける必要なしに、医療処置のために乳児を輸送することが、望ましい可能性がある。
【００１０】
いくつかのタイプの医療処置（たとえば、磁気共鳴イメージング）は、生命維持機器の磁気および／または無線周波数（ＲＦ）シールディング、イメージングされている乳児の付近の磁性材料の排除、および／または、乳児の環境の中へのエレメント（たとえば、ＲＦコイル）の追加を必要とする可能性があり、したがって、乳児の環境へのさらなる撹乱を生成させる。
【００１１】
乳児のイメージングを実施することは、医者のための重要な診断ツールである可能性がある。イメージング・デバイスは、人間の生体構造のイメージを取得するために使用され得る。たとえば、磁気共鳴イメージング（ＭＲＩ）デバイスが、身体の器官および／または組織の３次元の断面および／または層状イメージを生成させるために使用され得る。
【００１２】
乳児を輸送することを必要とし得る他のタイプのイメージング・デバイスは、Ｘ線透視法、超音波、エラストグラフィー、触覚イメージング、サーモグラフィー、ポジトロン放出断層撮影（ＰＥＴ）および／または単一光子放出コンピューター断層撮影（ＳＰＥＣＴ）を含む。
【００１３】
いくつかのイメージング・デバイスに関して、生命維持機器は、磁気および／またはＲＦシールドされている必要がある可能性がある。たとえば、ＭＲＩデバイスは、典型的に、磁界を生成させるために強力な磁石を使用する。磁界は、身体の中の原子核が磁界と整列することを引き起こすことが可能である。無線波は、典型的に、身体に適用され、原子核がそれらの整列を変化させることを引き起こす。無線波が除去されるときに、原子核は、それらの以前の状態へリラックスして戻ることが可能である。原子核がそれらの以前の状態に戻るときに、それらは、明確な無線信号を放出することが可能である。原子核が信号を放出するレート、および、信号の周波数は、原子のタイプに依存することが可能である。
【００１４】
ＭＲＩデバイスは、第１の無線周波数（ＲＦ）コイルを使用し、無線波を発生させることが可能であり、無線波は、勾配フィールド（ｇｒａｄｉｅｎｔ  ｆｉｅｌｄ）と称され得る場合があり、また、ＭＲＩデバイスは、第２のＲＦコイルを使用し、無線波を受信することが可能であり、または、同じＲＦコイルを使用し、送信および／もしくは受信の両方を行うことが可能である。
【００１５】
医療診断のためのＭＲＩデバイスは、典型的に、ボアを含み、ベッドの上に横たわっている患者が、イメージングのためにボアの中へ挿入される。ＭＲＩデバイスは、典型的に、病院の中のＭＲＩ対応のルームの中に配備されている。ＭＲＩ対応のルームは、典型的に、すべての磁性材料がＭＲＩルームの外側に残されることを必要とし、磁界の力によってＭＲＩデバイスに向けて引っ張られないようになっており、たとえば、事故を引き起こさないようになっている。また、ＭＲＩ対応のルームは、典型的に、その壁部の中にＲＦシールドを含む。ＲＦシールドは、ＭＲＩルームの外側からのＲＦ干渉がＭＲＩイメージを損なわないことを確保することが可能であり、また、ＭＲＩによって発生させられるＲＦエネルギーがルームから退出しないことを確保することが可能である。
【００１６】
生命維持装置に接続されている患者をイメージングするＭＲＩは、典型的に、患者がすべての生命維持機器から完全に切り離され、非常に長いチュービングを介して生命維持機器に再び接続されることを必要とし、非常に長いチュービングは、ＭＲＩルームの中の孔部を通され、たとえば、生命維持機器がＭＲＩルームの外側にあり、また、ＲＦ波および／または磁気エネルギーによって引き起こされ得る干渉から離れているようになっている。追加的に、ＭＲＩルームは、典型的に、低温に維持され、ＭＲＩの磁石が過熱しないようになっている。
【００１７】
乳児のＭＲＩイメージを取得することは、乳児がそのインキュベーターから制御されていない環境（たとえば、低温の／うるさいＭＲＩルーム）の中へ移動させられること、生命維持機器のすべてが切り離されて再び接続されること（たとえば、乳児を輸送インキュベーターの中へ移動させるために、および／もしくは、ＭＲＩルームの中の孔部を通して生命維持機器のチューブを変更／通すために）、乳児でない患者が設置されていた同じＭＲＩベッドの上に乳児を設置すること、ならびに／または、ＭＲＩベッドおよび／もしくは生命維持機器の広範なおよび／もしくは反復的な殺菌を必要とする可能性がある。
【発明の概要】
【発明が解決しようとする課題】
【００１８】
本発明の利点は、乳児をその環境（たとえば、温度、湿度、騒音レベル、振動レベル、光レベルおよび／または、バクテリア／細菌）から除去することなく、イメージングのために乳児を輸送することを含むことが可能である。本発明の別の利点は、生命維持および／または医療用チュービングを乳児から切り離すことなく、イメージングのために乳児を輸送することを含むことが可能である。
【００１９】
本発明の別の利点は、専用のＭＲＩルームなしに、乳児の磁気共鳴イメージ（ＭＲＩ）を取得する能力を含むことが可能である。本発明の別の利点は、デバイスの外側のフリンジ磁界を実質的に排除するＭＲＩデバイスによって、乳児のＭＲＩを取得する能力を含むことが可能であり、典型的に（たとえば、ＭＲＩシールド・ルームを介して）ＭＲＩからシールドされる必要がある、たとえば、電子的な機器、金属、および他の物体が、ＭＲＩデバイスの近くのどこかに位置決めされ得るようになっている。
【００２０】
本発明の別の利点は、複数のタイプのイメージング・デバイスへ乳児を輸送する能力を含むことが可能である。本発明の別の利点は、低減された量の補助要員からの助けを伴って、乳児を輸送する能力を含むことが可能である。本発明の別の利点は、感染のリスクを増加させることなく、乳児を輸送することを含むことが可能である。本発明の別の利点は、乳児の環境をモニタリングし、および／または変化させる能力を含むことが可能である。
【課題を解決するための手段】
【００２１】
１つの態様では、本発明は、イメージング・デバイスの中に新生児を位置決めするためのカプセル・インキュベーターに関する。カプセル・インキュベーターは、所定の長さ、所定の幅、および、新生児をその上に位置決めするための内側表面を有する底部部分を含み、第１のフラップは、側部部分を含み、側部部分は、底部部分の第１の長手方向縁部に沿って、底部部分に連結されており、底部部分の周りに回転可能であり、第１の側部部分は、底部部分の長さに等しい長さを有している。また、第１の側部部分は、上部部分を含む。また、カプセル・インキュベーターは、第２のフラップを含む。第２のフラップは、側部部分を含み、側部部分は、底部部分の第２の長手方向縁部に沿って、底部部分に連結されており、底部部分の周りに回転可能であり、第２の側部部分は、底部部分の長さに等しい長さを有しており、また、第２のフラップは、上部部分を含む。第１のフラップおよび第２のフラップが、第１の位置へ回転させられ、第１のフラップの上部部分および第２のフラップの上部部分が接続するようになっており、新生児のための実質的に閉じられたハウジングを形成し、また、第１のフラップおよび第２のフラップが、第２の位置へ回転させられ、新生児のための実質的に開いたハウジングを形成する。
【００２２】
いくつかの実施形態では、カプセル・インキュベーターは、カプセル・インキュベーターの第１の端部と切り離し可能に嵌合する無線周波数（ＲＦ）シールドを含み、ＲＦシールドは、第１のアパーチャーおよび第２のアパーチャーを有する導管を含み、導管は、少なくとも５対１の長さ対幅の比率を有している。いくつかの実施形態では、カプセル・インキュベーターは、カプセル・インキュベーターの第２の端部と嵌合する無線周波数（ＲＦ）コイル位置決めシステムを含む。
【００２３】
いくつかの実施形態では、カプセル・インキュベーターは、非磁性材料から作製されている。いくつかの実施形態では、カプセル・インキュベーターは、カートの第２の嵌合エレメントと嵌合する第１の嵌合エレメントを含み、カートは、カプセル・インキュベーターに接続し、カプセル・インキュベーターを輸送する。
【００２４】
いくつかの実施形態では、第１のフラップは、バック部分（ｂａｃｋ  ｐｏｒｔｉｏｎ）をさらに含み、第２のフラップは、バック部分をさらに含み、第１のフラップおよび第２のフラップが第１の位置へ回転させられているときに、第１のフラップのバック部分、および、第２のフラップのバック部分が接続する。
【００２５】
請求項１のカプセル・インキュベーターは、プラグをさらに含み、プラグは、カプセル・インキュベーターの第１の端部またはカプセル・インキュベーターの第２の端部の中へ挿入可能であり、第１の端部または第２の端部をそれぞれ閉じる。いくつかの実施形態では、カプセル・インキュベーターは、カプセル・インキュベーターの中に位置決めされているライトを含む。
【００２６】
別の態様では、本発明は、カプセル・インキュベーターの中にいる新生児を収容するためのドック・インキュベーターを含む。ドック・インキュベーターは、カプセル・インキュベーターを受け入れ、新生児の第１の端部へのアクセスを許容するための第１のドアを含む。また、ドック・インキュベーターは、新生児の第２の端部へのアクセスを許容するための第２のドアを含む。また、ドック・インキュベーターは、新生児インキュベーターの中にカプセル・インキュベーターを位置決めするために、カプセル・インキュベーターの第２の嵌合エレメントと嵌合するための第１の嵌合エレメントを含む。
【００２７】
いくつかの実施形態では、第１の嵌合エレメントは、レールである。いくつかの実施形態では、第１の嵌合エレメントは、ドック・インキュベーターの底部表面の上に位置決めされている。いくつかの実施形態では、ドック・インキュベーターは、少なくとも２つのノブをさらに含み、少なくとも２つのノブは、ドック・インキュベーターの内側に位置決めされ、ドック・インキュベーターの底部表面に連結されている。いくつかの実施形態では、第１のドアおよび第２のドアは、スライド可能なドアである。
【００２８】
いくつかの実施形態では、ドック・インキュベーターは、非磁性材料から作製されている。いくつかの実施形態では、ドック・インキュベーターは、ドック・インキュベーターの中に位置決めされている１つまたは複数のライトを含む。いくつかの実施形態では、ドック・インキュベーターは、任意の温度、騒音レベル、空気品質、および／または光レベルをセンシングする１つまたは複数のセンサーを含む。いくつかの実施形態では、ドック・インキュベーターは、ドック・インキュベーターを移動させるための複数のホイールを有する輸送ベースを含む。
【００２９】
別の態様では、本発明は、カプセル・インキュベーターを輸送するためのカートを含む。カートは、少なくとも２つのホイールに連結されているベースを含む。カートは、ピラーを含み、ピラーは、ベースに連結されており、ベースから垂直方向に延在している。また、カートは、カプセル・インキュベーターをカートに切り離し可能に取り付けるためにピラーに連結されているコネクターを含む。また、カートは、コネクター、および、カプセル・インキュベーターの中の１つまたは複数の環境条件を制御するための制御パネルを含む。
【００３０】
いくつかの実施形態では、ベースは、ストレージ・コンパートメントを含む。いくつかの実施形態では、ピラーは、中空になっており、また、アパーチャーを含む。いくつかの実施形態では、ピラーは、テレスコープ式になっており、カートに接続されているカプセル・インキュベーターの高さがベースに対して調節可能になっている。いくつかの実施形態では、カートは、ピラーに連結されている無線周波数（ＲＦ）シールドを含み、ＲＦシールドは、第１のアパーチャーおよび第２のアパーチャーを有する導管を含み、導管は、少なくとも５対１の長さ対幅の比率を有している。
【００３１】
いくつかの実施形態では、カートは、ハンドルを含む。いくつかの実施形態では、制御パネルは、ディスプレイを含む。いくつかの実施形態では、カートは、ＭＲＩ対応の材料から作製されている。
【００３２】
別の態様では、本発明は、新生児をイメージング・デバイスへ輸送するためのシステムを含む。システムは、新生児を収容するためのカプセル・インキュベーターを含む。また、システムは、カプセル・インキュベーターをその中に除去可能に位置決めするドック・インキュベーターを含む。また、システムは、カプセル・インキュベーターを輸送するためにカプセル・インキュベーターを切り離し可能に取り付けるためのカートを含む。また、システムは、ボアを含むイメージング・デバイスであって、ボアは、カートに取り付けられているときのカプセル・インキュベーターを受け入れるためのものであり、カプセル・インキュベーターがボアの中へ挿入されているときに、ボアが閉じられるようになっている、イメージング・デバイスを含む。
【００３３】
いくつかの実施形態では、また、システムは、カートまたはカプセルに連結されている無線周波数（ＲＦ）シールドを含み、ＲＦシールドは、第１のアパーチャーおよび第２のアパーチャーを有する導管を含み、導管は、少なくとも５対１の長さ対幅の比率を有しており、ＲＦシールドは、ボアを閉じるためにボアと嵌合するようにサイズ決めされている。
【００３４】
いくつかの実施形態では、また、カートは、少なくとも２つのホイールに連結されているベースであって、ベースは、ストレージ・コンパートメントを有している、ベースと、ベースに連結されており、ベースから垂直方向に延在しているピラーと、カプセル・インキュベーターをカートに切り離し可能に取り付けるためにピラーに連結されているコネクターと、コネクター、カプセルの中の１つまたは複数の環境条件、およびイメージング・デバイスを制御するための制御パネルとを含む。
【００３５】
いくつかの実施形態では、ピラーは、アパーチャーを含み、１つまたは複数の医療用チューブが、ピラーから退出し、カプセルのアパーチャーに進入することができるようになっている。いくつかの実施形態では、ドック・インキュベーターは、カプセル・インキュベーターを受け入れ、新生児の第１の端部へのアクセスを許容するための第１のドアと、新生児の第２の端部へのアクセスを許容するための第２のドアと、新生児インキュベーターの中にカプセル・インキュベーターを位置決めするために、カプセル・インキュベーターの第２の嵌合エレメントと嵌合するための第１の嵌合エレメントとを含む。
【００３６】
いくつかの実施形態では、第１の嵌合エレメントおよび第２の嵌合エレメントは、レールおよびレール・ガイドであるか、または、インデントおよびインデントにマッチするローラーである。いくつかの実施形態では、システムは、カプセル・インキュベーターの中に位置決めされているベッドを含み、ベッドは、２つの枢動点を含み、その中に位置決めされているときの新生児をベッドが包み込むことを可能にする。
【００３７】
いくつかの実施形態では、システムは、ベッドは、外側層と、内側層と、内側層と外側層との間に位置決めされているＲＦコイル層とを含む。いくつかの実施形態では、システムは、ＲＦコイル層を含み、ＲＦコイル層は、ロールされた可撓性のプリント回路基板である。
【００３８】
いくつかの実施形態では、ドック・インキュベーターは、少なくとも２つのノブを有しており、少なくとも２つのノブは、ドック・インキュベーターの内側に位置決めされており、ドック・インキュベーターの底部表面に連結されており、カプセル・インキュベーターが開いているときに、カプセル・インキュベーターの側部がノブの上に置かれるようになっており、空気がドック・インキュベーターの底部からカプセル・インキュベーターの周りに流れることを許容し、ドック・インキュベーターの中の空気フローを制御する。
【００３９】
いくつかの実施形態では、システムは、ドック・インキュベーターに切り離し可能に取り付けられる無線周波数（ＲＦ）コイル位置決めデバイスを含む。
【００４０】
別の態様では、本発明は、カプセル・インキュベーターに関する。カプセル・インキュベーターは、新生児をその上に位置決めするための表面であって、表面は、人間の乳児を位置決めするのに十分な幅および長さを有している、表面を含む。また、カプセル・インキュベーターは、少なくとも１つの閉鎖構造体であって、閉鎖構造体は、閉位置にあるときに、人間の乳児のためのハウジングを生成させ、また、開位置にあるときに、人間の乳児へのアクセスを生成させる、少なくとも１つの閉鎖構造体を含む。また、カプセル・インキュベーターは、カプセル・インキュベーターをカートに連結するための少なくとも１つの連結構造体と、第１のアパーチャーおよび第２のアパーチャーを有する導管を含む無線周波数（ＲＦ）シールディング構造体であって、導管は、少なくとも５対１の長さ対幅の比率を有している、無線周波数（ＲＦ）シールディング構造体とを含む。
【００４１】
本開示の実施形態の非限定的な例は、この段落に続いて列挙されている、本明細書に添付されている図を参照して、下記に説明されている。図に示されている特徴の寸法は、便宜上および表現の明確化のために選ばれており、必ずしも、正確な寸法で示されているわけではない。
【００４２】
本発明としてみなされる主題は、とりわけ、本明細書の結論部分において指摘され、明示的に特許請求されている。しかし、本発明は、組織および動作の方法の両方に関して、その目的、特徴、および利点とともに、添付の図面とともに読まれるときに以下の詳細な説明を参照することによって理解され得る。本発明の実施形態は、例として図示されており、添付の図面の図の中の限定として図示されておらず、図面において、同様の参照番号は、対応する、同様の、または類似のエレメントを示している。
【図面の簡単な説明】
【００４３】
【図１】本発明の例示目的の実施形態による、イメージングのために乳児を収容および輸送するためのシステムを示す図である。
【図２】本発明の例示目的の実施形態による、イメージング・デバイスの中に乳児を位置決めするためのカプセル・インキュベーターの図である。
【図２Ａ】本発明の例示目的の実施形態による、第１のフラップおよび／または第２のフラップが押し開けられることを防止することができる安全メカニズムを示す図である。
【図２Ｂ】本発明の例示目的の実施形態による、第１のフラップおよび／または第２のフラップが押し開けられることを防止することができる安全メカニズムを示す図である。
【図２Ｃ】本発明の例示目的の実施形態による、第１のフラップおよび／または第２のフラップが押し開けられることを防止することができる安全メカニズムを示す図である。
【図２Ｄ】本発明の例示目的の実施形態による、カプセル・インキュベーターの中に位置決めされている乳児を照明するためのメカニズムを示す図である。
【図２Ｅ】本発明の例示目的の実施形態による、カプセル・インキュベーターの中に位置決めされている乳児を照明するためのメカニズムを示す図である。
【図２Ｆ】本発明の例示目的の実施形態による、カプセル・インキュベーターの中に位置決めされている乳児を照明するためのメカニズムを示す図である。
【図３Ａ】本発明の例示目的の実施形態による、カプセル・インキュベーターの端部に連結されている無線周波数（ＲＦ）シールド構造体の図である。
【図３Ｂ】本発明の例示目的の実施形態による、図３ＡのＲＦシールド構造体の図である。
【図４Ａ】本発明の例示目的の実施形態による、カプセル・インキュベーターの端部に連結されている無線周波数（ＲＦ）コイル位置決めシステムの図である。
【図４Ｂ】本発明の例示目的の実施形態による、図４ＡのＲＦコイル位置決めシステムの図である。
【図４Ｃ】本発明の例示目的の実施形態による、第１の部分および第２の部分を有する無線周波数（ＲＦ）コイル位置決めシステムを示す図である。
【図４Ｄ】本発明の例示目的の実施形態による、第１の部分および第２の部分を有する無線周波数（ＲＦ）コイル位置決めシステムを示す図である。
【図４Ｅ】本発明の例示目的の実施形態による、第１の部分および第２の部分を有する無線周波数（ＲＦ）コイル位置決めシステムを示す図である。
【図５Ａ】本発明の例示目的の実施形態による、カプセル・インキュベーターのための端部ピースの図である。
【図５Ｂ】本発明の例示目的の実施形態による、図５Ａのカプセル・インキュベーターの図である。
【図５Ｃ】本発明の例示目的の実施形態による、カプセル・インキュベーターの図である。
【図５Ｄ】本発明の例示目的の実施形態による、カプセル・インキュベーターの図である。
【図６Ａ】本発明の例示目的の実施形態による、患者ベッドを備えた図２のカプセル・インキュベーターの正面図である。
【図６Ｂ】本発明の例示目的の実施形態による、患者ベッドの上から見下ろした図である。
【図６Ｃ】本発明の例示目的の実施形態による、患者ベッドを備えたカプセル・インキュベーターの図である。
【図６Ｄ】本発明の例示目的の実施形態による、患者ベッドを備えたカプセル・インキュベーターの図である。
【図７Ａ】本発明の例示目的の実施形態による、ＲＦコイルがその中に埋め込まれているラップの例を示す図である。
【図７Ｂ】本発明の例示目的の実施形態による、ＲＦコイルがその中に埋め込まれているラップの例を示す図である。
【図８Ａ】本発明の例示目的の実施形態による、ＲＦシールド構造体を介してカートに連結されているカプセル・インキュベーターの図である。
【図８Ｂ】本発明の例示目的の実施形態による、コネクターを介してカートに連結されているカプセル・インキュベーターの図である。
【図８Ｃ】本発明の例示目的の実施形態による、カートに連結されているカプセル・インキュベーターの図である。
【図９Ａ】本発明の例示目的の実施形態による、ＲＦコイル位置決めシステムを備えた、ＲＦシールド構造体およびコネクターを介してカートに連結されているカプセル・インキュベーターの図である。
【図９Ｂ】本発明の例示目的の実施形態による、図９ＡのＲＦコイル位置決めシステムを備えた、図９ＡのＲＦシールドされた構造体および図９Ａのコネクターを介して図９Ａのカートに取り付けられているカプセル図９Ａのカプセル・インキュベーターの図である。
【図９Ｃ】本発明の例示目的の実施形態による、ＲＦコイルが新生児の周りに位置決めされている状態の、図９ＡのＲＦシールドされた構造体を介して図９Ａのカートに取り付けられている図９Ａのカプセル・インキュベーターの図である。
【図９Ｄ】本発明の例示目的の実施形態による、カプセル・インキュベーターのための安全メカニズムの図である。
【図９Ｅ】本発明の例示目的の実施形態による、カプセル・インキュベーターのための安全メカニズムの図である。
【図１０】本発明の例示目的の実施形態による、ドック・インキュベーターの中にドッキングされたカプセル・インキュベーターの図である。
【図１１Ａ】本発明の例示目的の実施形態による、カプセル・インキュベーターを受け入れることができるＭＲＩデバイスの図である。
【図１１Ｂ】本発明の例示目的の実施形態による、カプセル・インキュベーターがその中に位置決めされている状態の、図１１ＡのＭＲＩデバイスの図である。
【図１１Ｃ】本発明の例示目的の実施形態による、図１１ＡのＭＲＩデバイスのボアと嵌合するＲＦシールディング構造体を有する図１１Ｂのカプセル・インキュベーターの端部の側面図である。
【図１１Ｄ】本発明の例示目的の実施形態による、図１１ＣのＭＲＩデバイスおよびカプセル・インキュベーターと外部環境との間に延在するチュービングの図である。
【図１１Ｅ】本発明の例示目的の実施形態による、カートがカプセル・インキュベーターをＭＲＩデバイスへ輸送するために使用されている、超伝導体ＭＲＩデバイスの側断面図である。
【図１１Ｆ】本発明の例示目的の実施形態による、カートに連結されており、超伝導体磁石ＭＲＩデバイスの中へ挿入されている、カプセル・インキュベーターの図である。
【図１１Ｇ】本発明の例示目的の実施形態による、カートに連結されており、超伝導体磁石ＭＲＩデバイスの中へ挿入されている、カプセル・インキュベーターの図である。
【図１１Ｈ】本発明の例示目的の実施形態による、アンチ・スラム・ロッキング・システムの図である。
【図１１Ｉ】本発明の例示目的の実施形態による、カプセルが超伝導体ＭＲＩデバイスの中へ挿入されている、超伝導体ＭＲＩデバイスの図である。
【図１１Ｊ】本発明の例示目的の実施形態による、カプセルが超伝導体ＭＲＩデバイスの中へ挿入されている、超伝導体ＭＲＩデバイスの図である。
【図１１Ｋ】本発明の例示目的の実施形態による、カプセルが超伝導体ＭＲＩデバイスの中へ挿入されている、超伝導体ＭＲＩデバイスの図である。
【図１２Ａ】本発明の例示目的の実施形態による、カプセル・インキュベーターを輸送するためのカートの図である。
【図１２Ｂ】本発明の例示目的の実施形態による、図１２Ａのカートの空気入口部の図である。
【図１２Ｃ】本発明の例示目的の実施形態による、図１２Ａのカートの電源ソケットの図である。
【図１２Ｄ】本発明の例示目的の実施形態による、ハンドル、ディスプレイ、および制御パネルの図である。
【図１３Ａ】本発明の例示目的の実施形態による、ドック・インキュベーターの例を示す図である。
【図１３Ｂ】本発明の例示目的の実施形態による、カプセルのカプセル・インキュベーター・フラップがノブの上に置かれている状態の図１３Ａのドック・インキュベーターの断面図である。
【図１４Ａ】本発明の例示目的の実施形態による、カプセル・インキュベーターがドック・インキュベーターの中にドッキングする図である。
【図１４Ｂ】本発明の例示目的の実施形態による、カプセル・インキュベーターがドック・インキュベーターの中にドッキングする図である。
【図１４Ｃ】本発明の例示目的の実施形態による、カプセル・インキュベーターがドック・インキュベーターの中にドッキングする図である。
【図１４Ｄ】本発明の例示目的の実施形態による、カプセル・インキュベーターがドック・インキュベーターの中にドッキングする図である。
【図１４Ｅ】本発明の例示目的の実施形態による、カプセル・インキュベーターがドック・インキュベーターの中にドッキングする図である。
【図１４Ｆ】本発明の例示目的の実施形態による、カプセル・インキュベーターがドック・インキュベーターの中にドッキングする図である。
【図１４Ｇ】本発明の例示目的の実施形態による、カプセル・インキュベーターがドック・インキュベーターの中にドッキングする図である。
【図１４Ｈ】本発明の例示目的の実施形態による、カプセル・インキュベーターがドック・インキュベーターの中にドッキングする図である。
【図１４Ｉ】本発明の例示目的の実施形態による、カプセル・インキュベーターがドック・インキュベーターの中にドッキングする図である。
【発明を実施するための形態】
【００４４】
図１は、本発明の例示目的の実施形態による、イメージングのために乳児を収容および輸送するためのシステム１００を示す図である。システム１００は、第１のインキュベーター（たとえば、カプセル・インキュベーター）１１０、カート１２０、第２のインキュベーター（たとえば、ドック・インキュベーター）１３０、およびイメージング・デバイス（たとえば、ＭＲＩデバイス）１４０を含むことが可能である。
【００４５】
動作の間に、乳児（図示せず）は、カプセル・インキュベーター１１０の中に横たわっている。カプセル・インキュベーター１１０は、ドック・インキュベーター１３０の中に位置決めされ得、カート１２０に接続され得、または、ＭＲＩデバイス１４０の中に位置決めされ得る。いくつかの実施形態では、カプセル・インキュベーター１１０は、任意の所望の場所（たとえば、他のイメージング・デバイス、診察台、および／または手術台）の中に位置決めされる。
【００４６】
カプセル・インキュベーター１１０は、カート１２０を介して、ドック・インキュベーター１３０とＭＲＩデバイス１４０（または、任意の所望の場所）との間で移動させられ得る。乳児に取り付けられている生命維持機器（図示せず）は、カート１２０およびカプセル・インキュベーター１１０を介してドック・インキュベーター１３０から所望の場所へ乳児を移動させるときに、元の状態のままであることが可能である。ドック・インキュベーター１３０の中の乳児を取り囲む環境（たとえば、温度、湿度、騒音レベル、振動レベル、光レベル、および／または、バクテリア／細菌）は、カプセル・インキュベーター１１０の中の乳児の移動の間に、カプセル・インキュベーター１１０の中で維持され得る。
【００４７】
いくつかの実施形態では、乳児は、カート１２０に取り付けられているカプセル・インキュベーター１１０の中で、ドック・インキュベーター１３０から所望の場所へ移動させられ、カプセル・インキュベーター１１０は、医療処置（たとえば、カプセル・インキュベーター１１０を受け入れるためのボアを備えたＭＲＩデバイス１４０を使用するイメージング）が行われる間にカート１２０から切り離されない。乳児は、乳児の生命維持機器をカート１２０から移動させることなく、または、乳児の環境を修正することなく、カプセル・インキュベーター１１０およびカート１２０を介して、ドック・インキュベーター１３０から医療処置へ移動させられ得、また、ドック・インキュベーター１３０へ戻すように移動させられ得る。
【００４８】
いくつかの実施形態では、乳児は、カート１２０に取り付けられているカプセル・インキュベーター１１０の中で、ドック・インキュベーター１３０から所望の場所へ移動させられ、カプセル・インキュベーター１１０は、カート１２０から切り離される。乳児は、乳児から生命維持機器を除去することなく、カプセル・インキュベーター１１０を介して、ドック・インキュベーター１３０から所望の場所へ移動させられ得る。
【００４９】
カプセル・インキュベーター１１０は、少なくとも２つのアパーチャーおよび導管を有する無線周波数（ＲＦ）シールド（図示せず）を含むことが可能であり、チュービングがカプセル・インキュベーター１１０の内側とカプセル・インキュベーター１１０の外側の環境との間に通されることを可能にする。ＲＦシールドは、アパーチャーに関わらず、ＲＦ波がカプセル・インキュベーター１１０に進入／退出することを実質的に排除する。
【００５０】
図２は、本発明の例示目的の実施形態による、イメージング・デバイスの中に乳児を位置決めするためのカプセル・インキュベーター２１０の図である。カプセル・インキュベーター２１０は、底部部分２１５、内側表面２２０、第１のフラップ２２５、第２のフラップ２３０、第１の端部２３５、および第２の端部２４０を含む。
【００５１】
底部部分２１５は、内側表面２２０（たとえば、表面）を含むことが可能であり、内側表面２２０の上に、乳児が位置決めされ得る。底部部分２１５は、所定の長さおよび幅を有することが可能であり、乳児が内側表面２２０の上にフィットすることができるようになっている。さまざまな実施形態では、底部部分２１５は、２フィートから３フィートの間の長さＬＢを有している。さまざまな実施形態では、底部部分２１５は、３インチから６インチの間の幅ＷＢを有している。
【００５２】
第１のフラップ２２５（たとえば、第１の閉鎖構造体）は、側部部分２２６ａおよび上部部分２２６ｂを含むＬ字形状の部分であることが可能である。側部部分２２６ａは、底部部分２１５の第１の長手方向縁部２２７に沿って、底部部分２１５に連結され得、底部部分２１５の周りに回転可能である。側部部分２２６ａは、ヒンジを介して底部部分２１５に連結され得る。側部部分２２６ａは、当技術分野で知られているように、底部部分２１５に連結され得る。
【００５３】
側部部分２２６ａは、底部部分２１５の長さＬＢに等しい長さＬＳ１を有することが可能である。側部部分２２６ａは、６インチから１．５フィートの幅ＷＳ１を有することが可能である。上部部分２２６ｂは、底部部分２１５の長さＬＢに等しい長さＬＴ１を有することが可能である。上部部分２２６ｂは、幅底部部分２１５の幅ＷＢの半分のＷＴ１を有することが可能である。
【００５４】
上部部分２２６ｂは、幅ＷＷ１を有することが可能であり、幅ＷＷ１は、上部部分２２６ｂが壁部となることを可能にすることができ、その壁部は、（たとえば、開位置において）底部部分２１５に対して実質的に垂直の平面に対して、上部部分２２６ｂが平行になるように、側部部分２２６ａが回転させられるときに、乳児がカプセル・インキュベーター２１０から転がり出ることを防止する。たとえば、上部部分２２６ｂの幅ＷＴ１は、６インチから１．５フィートであることが可能である。
【００５５】
第２のフラップ２３０（たとえば、第２の閉鎖構造体）は、側部部分２３１ａおよび上部部分２３１ｂを含むＬ字形状の部分であることが可能である。側部部分２３１ａは、底部部分２１５の第２の長手方向縁部２２９に沿って、底部部分２１５に連結され得、底部部分２１５の周りに回転可能である。側部部分２３１ａは、ヒンジを介して底部部分２１５に連結され得る。
【００５６】
側部部分２３１ａは、底部部分２１５の長さＬＢに等しい長さＬＳ２を有することが可能である。側部部分２３１ａは、６インチから１．５フィートの幅ＷＳ２を有することが可能である。上部部分２３１ｂは、底部部分２１５の長さＬＢに等しい長さＬＴ２を有することが可能である。上部部分２３１ｂは、底部部分２１５の幅ＷＢの半分のＷＴ２を有することが可能である。
【００５７】
上部部分２３１ｂは、幅ＷＷ２を有することが可能であり、幅ＷＷ２は、上部部分２３１ｂが壁部となることを可能にすることができ、その壁部は、（たとえば、開位置において）底部部分２１５に対して実質的に垂直の平面に対して、上部部分２３１ｂが平行になるように、側部部分２３１ａが回転させられるときに、乳児がカプセル・インキュベーター２１０から転がり出ることを防止する。たとえば、上部部分２３１ｂの幅ＷＴ２は、６インチから１．５フィートであることが可能である。
【００５８】
第１のフラップ２２５および第２のフラップ２３０は、第１の位置（たとえば、閉位置）へ回転することが可能であり、第１のフラップ２２５の上部部分２２６ｂの縁部２２８が第２のフラップ２３０の上部部分２３１ｂの縁部２３３に接続することができるようになっている。縁部２２８および縁部２３３は、接続が閉じられるように接続することが可能である。
【００５９】
縁部２２８および２３３が接続されている状態で（換言すれば、第１のフラップ２２５および第２のフラップ２３０が閉じられている）、カプセル・インキュベーター２１０は、チューブ状の構造体を形成することが可能であり、カプセル・インキュベーター２１０の第１の端部２３５、および、カプセル・インキュベーターの第２の端部２４０は開いているようになっている。
【００６０】
いくつかの実施形態では、フラップのそれぞれは、安全メカニズムを含み、安全メカニズムは、第１の側部部分２２６ａおよび／または第２の側部部分２３１ａに対して垂直（または、実質的に垂直）に力が印加されるときに、第１のフラップ２２５および／または第２のフラップ２３０が押し開けられることを防止することが可能であり、第１のフラップ２２５および／または第２のフラップ２３０は閉じたままである。たとえば、安全メカニズムは、第１のフラップ２２５および／または第２のフラップ２３０がカプセル・インキュベーター２１０の中の乳児によって開けられることを防止することが可能である。
【００６１】
図２Ａ〜図２Ｃは、本発明の例示目的の実施形態による、第１のフラップ２２５および／または第２のフラップ２３０が押し開けられることを防止することができる安全メカニズムを示している。第１のフラップ２２５および第２のフラップ２３０（ここでは、それらのそれぞれの上部部分のみとともに示されている）は、それぞれ、開口部２５０および２５２を含むことが可能である。開口部２５０および２５２は、それぞれのノブ２６０および２６２と嵌合することが可能である。ノブ２６０および２６２は、それらのそれぞれの開口部２５０および２５２の中にフィットすることが可能であり、（図２に示されているような）側部部分２２６ａおよび２２１ａに対して垂直の力が、第１のフラップ２２５または第２のフラップ２３０が開くことを許容しないようになっている。ノブ２６０および／または２６２は、ＲＦシールディング構造体、ＲＦコイル構造体、および／またはプラグに連結され得、それは、さらに詳細に下記に説明されているように、カプセル・インキュベーターの端部に連結されている。
【００６２】
いくつかの実施形態では、カプセル・インキュベーター２１０は、乳児の照明を可能にするライトを含むことが可能である。ＭＲＩが乳児をイメージングしている間に、カプセル・インキュベーター２１０の中の乳児がＭＲＩの中に位置決めされているときに、ライトがＭＲＩ（または、他のイメージング・デバイス）の視野との最小干渉を引き起こすように、ライトは位置決めされ得る。図２Ｄ〜図２Ｆは、本発明の例示目的の実施形態による、乳児を照明するためのメカニズムを示す図を示している。ライト２９０（たとえば、発光ダイオード（ＬＥＤ））は、カプセル・インキュベーター２１０の端部に連結されている構造体２８５の端部に位置決めされ得る。構造体２８５は、無線周波数ＲＦ位置決めシステム、ＲＦシールディング構造体、および／または、さらに詳細に下記に議論されているようなプラグであることが可能である。構造体２８５は、中空のキャナル１０６を含むことが可能であり、第１のフラップ２２５の側部部分２２６ａは、凹部２８０（たとえば、三角形の凹部）を含むことが可能である。側部部分２２６ａは、透明な材料であることが可能である。
【００６３】
いくつかの実施形態では、カプセル・インキュベーター２１０は、透明な材料である。いくつかの実施形態では、カプセル・インキュベーター２１０は、非磁性材料である。
【００６４】
透明な材料は、ポリメチルメタクリレート、熱可塑性ポリウレタン、ポリエチレン、ポリエチレンテレフタレート、イソフタル酸変性ポリエチレンテレフタレート、グリコール変性ポリエチレンテレフタレート、ポリプロピレン、ポリスチレン、アクリル、ポリアセテート、セルロースアセテート、ポリカーボネート、ナイロン、ガラス、および／またはポリ塩化ビニルを含むことが可能である。いくつかの実施形態では、透明な材料の少なくとも一部分は、金属ワイヤーなどのような、強度および／または導電性の手段のための不透明な材料を埋め込まれている。
【００６５】
動作の間に、ＬＥＤ２９０から放出される光２９６は、中空のキャナル１０６を下って進行し、側部部分２２６ａに衝突することが可能である。光２９６は、側部部分２２６ａを通って凹部２８０に向けて進行することが可能である。光２９６が凹部２８０に衝突するときに、光２９６は、それぞれ、３つの部分２９４、２９２、および／または２９８へと分光することが可能である。光部分２９４は、カプセル・インキュベーターの外部にあることが可能である。光部分２９２は、側部部分２２６ａに沿って継続することが可能である。光部分２９８は、カプセル・インキュベーター２１０の内部へ方向付けられ得る。乳児２８４がカプセル・インキュベーター２１０の中に位置決めされている状態で、光部分２９８は、乳児２８４を照射することが可能である。凹部２８０は、光２９８が乳児２８４の顔に衝突することを引き起こすように構成され得る。
【００６６】
いくつかの実施形態では、第１のフラップ２２５および第２のフラップ２３０は、Ｃ字形状になっている。いくつかの実施形態では、カプセル・インキュベーター２１０は、カプセル・インキュベーター２１０を開閉する１つの部分（たとえば、閉鎖構造体）を有している。たとえば、図５Ａおよび図５Ｂにおいてさらに詳細に下記に説明されているようなものである。
【００６７】
いくつかの実施形態では、無線周波数（ＲＦ）シールド構造体（図示せず）は、第１の端部２３５に連結されており、第１のフラップ２２５および第２のフラップ２３０が閉じているときに、ＲＦシールド構造体が第１の端部２３５のためのプラグを形成するようになっている。いくつかの実施形態では、ＲＦシールド構造体は、第２の端部２４０に連結されている。図３Ａは、本発明の例示目的の実施形態による、カプセル・インキュベーター３１０の端部３２５に連結されているＲＦシールド構造体３２０の図である。ＲＦシールド構造体３２０は、カプセル・インキュベーター３１０の端部３２５に連結されており、ＲＦシールド構造体３２０が端部３２５を実質的に閉じるようになっており、また、端部３２５およびカプセル・インキュベーター３１０がＭＲＩの中へ押し込まれるときに、ＭＲＩの内部と外部環境との間にＲＦシールディングを提供することが可能であり、ＲＦシールド構造体３２０がＭＲＩに対するドアを形成して閉じるようになっている。
【００６８】
図３Ｂは、本発明の例示目的の実施形態による、ＲＦシールド構造体３２０の図である。ＲＦシールド構造体３２０は、第１の表面３２２、第２の表面３２３、導管３３５、突出部分３４０、およびＲＦシールド３４５を含むことが可能である。
【００６９】
導管３３５は、第１のアパーチャー３３７ａ、第２のアパーチャー３３７ｂ、およびアクセス・ポート３４２を含むことが可能である。アクセス・ポート３４２は、非磁性材料であることが可能である。
【００７０】
第１の表面３２２は、カプセル・インキュベーター３１０に面していることが可能であり、第２の表面３２３は、カプセル・インキュベーター３１０の外部の環境に面していることが可能である。第１の表面３２２は、突出部分３４０を含むことが可能である。突出部分３４０は、所定のサイズおよび形状を有することが可能であり、第１のフラップ２２５および第２のフラップ２３０が接続されているときに、第１のフラップ２２５の端部縁部３３２、および、第２のフラップ２３０の端部縁部３３３が、突出部分３４０と嵌合し、端部２３５をシールするようになっており、ＲＦシールド構造体３２０がカプセル・インキュベーター３１０の端部２３５をプラグするようになっている。図３Ａに示されているように、突出部分３４０は、所定の形状を有しており、第１のフラップ２２５の端部縁部３３２が第２のフラップ２３０の端部縁部３３３と閉じるときに、それらが、導管３２７ａおよび３２７ｂを有する突出部分３４０の周りに実質的に正方形の形状を形成するようになっており、１つまたは複数のチューブが、アパーチャー３２７ａから、導管３３５を通って、アパーチャー３３７ｂの外へ、アパーチャー３２７ａを通って、カプセル・インキュベーター３１０の中へ延在することを可能にする。当業者には明らかであるように、チューブは、示されているようなカプセルを備えたＲＦシールディング構造体の他方の側部に延在することが可能である。Ｃ字形状の第１および第２のフラップを有する実施形態に関して、突出部分３４０は、円形であることが可能である。
【００７１】
ＲＦシールド３４５は、正方形形状の突出部分２４０の中にフィットする正方形形状になっている。さまざまな実施形態では、ＲＦシールド３４５は、突出部分２４０の中にフィットする形状であることが可能であり、カプセル・インキュベーター３１０の内部が端部２３５においてＲＦシールドされるようになっている。ＲＦシールド３４５は、ハニカム・チューブ状の構造体であることが可能であり、空気が入ることを許容し、５対１の比率を維持する。たとえば、ハニカムは、ハニカムの中のそれぞれの個々の開口部が５対１の長さ対幅の比率を有するようにサイズ決めされ得る。ＲＦシールドは、メッシュであることが可能である。
【００７２】
第２の表面３２３は、カプセル・インキュベーターをカート（たとえば、図１において上記に説明されているようなカート１２０）に接続するために、ＲＦシールディング構造体と嵌合することができる表面であることが可能である。いくつかの実施形態では、第２の表面３２３は平坦になっている。
【００７３】
動作の間に、１つまたは複数のチューブ（たとえば、医療用チューブ、生命維持チューブ、モニター、および／または、カプセル・インキュベーター３１０の中に存在することを必要とする可能性のある任意のチュービング）が、アクセス・ポート３４２を介して導管３３５の中に位置決めされている。このように、乳児に接続されているチュービングは、乳児からチュービングを除去することなく、ＲＦシールド３４５を通して導かれ得る。カプセル・インキュベーター３１０が、ボアを有するＭＲＩデバイス（たとえば、図１１Ａにおいて下記に説明されているようなＭＲＩデバイス）の中に位置決めされているときに、ボアの壁部は、導管３３５を囲み、完全に閉じられた導管を形成する。導管３３５は、少なくとも５対１の長さ対幅の比率を有することが可能である。動作の間に、ＲＦシールディング構造体３２０は、カプセル・インキュベーター３１０の中へのおよび／またはカプセル・インキュベーター３１０から外へのＲＦ漏洩を防止することが可能である。導管３３５の長さ対幅の比率は、カプセル・インキュベーター３１０の中へのおよび／またはカプセル・インキュベーター３１０から外への、導管３３５を通したＲＦ漏洩を防止することが可能である。ＲＦシールド構造体３２０は、乳児からチューブを除去することなく、ならびに、カプセル・インキュベーター３１０の中へのおよび／またはカプセル・インキュベーター３１０から外へのＲＦ漏洩なしに、チューブがカプセル・インキュベーター３１０に進入／退出することを許容することが可能である。
【００７４】
図２に戻ると、いくつかの実施形態では、無線周波数（ＲＦ）コイル位置決めシステム（図示せず）が、カプセル・インキュベーター２１０の第２の端部２４０に連結されており、第１のフラップ２２５および第２のフラップ２３０が閉じているときに、ＲＦコイル位置決めシステムが第２の端部２４０のためのプラグを形成するようになっている。いくつかの実施形態では、ＲＦコイル位置決めシステムは、第１の端部２３５に連結されている。
【００７５】
図４Ａは、本発明の例示目的の実施形態による、カプセル・インキュベーター４１０の端部４３５に連結されているＲＦコイル位置決めシステム４２０の図である。ＲＦコイル位置決めシステム４２０は、カプセル・インキュベーター４１０の端部４３５に連結されており、ＲＦコイル位置決めシステム４２０が端部４３５を閉じるようになっている。
【００７６】
図４Ｂは、本発明の例示目的の実施形態による、ＲＦコイル位置決めシステム４２０の図である。ＲＦコイル位置決めシステム４２０は、ヘッド・コイル部分４５０、リリース・プッシュ・ボタン４５５、ハンドル４６０、ウィンドウ４６５、１つまたは複数のコネクター４７０、コネクター４７５、およびセンタリング・ロッド４８０を含むことが可能である。ＲＦコイル位置決めシステム４２０は、患者ベッド４１７と組み合わせて使用され、ヘッド・コイル部分４５０の中の特定の場所の中に新生児の頭部を位置決めすることが可能である。たとえば、２０１６年４月２０日に出願された米国仮特許出願第６２／３２５，２４１号明細書、および、２０１７年４月６日に出願されたＰＣＴ出願第ＰＣＴ／ＩＬ２０１７／０５０４２５号に示されているようなものであり、その文献のすべては、その全体が参照により本明細書に組み込まれている。
【００７７】
ＲＦコイル位置決めシステム４２０を備えたカプセル・インキュベーター２１０がＭＲＩの中へ挿入されるときに、１つまたは複数のコネクター４７０は、ヘッド・コイル部分４５０の中にあるＲＦコイル（図示せず）がＭＲＩ（たとえば、図１において上記に説明されているようなＭＲＩ）に連結することを可能にすることができる。とりわけ、１つまたは複数のコネクター４７０は、（たとえば、ブラインド・カップリングを介して）ＭＲＩの中に位置決めされている１つまたは複数のコネクターと嵌合する。ＭＲＩに連結されているときに、ヘッド・コイル部分４５０の中のＲＦコイルは、ＭＲＩから送信される信号を受信することが可能である。信号は、当技術分野で知られているような信号であることが可能である。
【００７８】
いくつかの実施形態では、ＲＦコイル位置決めシステム４２０は、カプセル・インキュベーター２１０の下で回転することが可能である。ＲＦコイル位置決めシステム４２０は、センタリング・ロッド４８０の周りに回転することが可能である。センタリング・ロッド４８０は、カプセル・インキュベーター４１０の底部部分の中にあるアパーチャー（図示せず）の中に挿入され得る。動作の間に、ＲＦコイル位置決めシステム４２０は、（たとえば、ハンドル４６０を介して）カプセル・インキュベーター２１０から離れるように引っ張られ得、センタリング・ロッド４８０を介してカプセル・インキュベーター４１０に接続されたままになっている。センタリング・ロッド４８０は、アパーチャーから完全に退出することを防止され得、ＲＦコイル位置決めシステム４２０がカプセル・インキュベーター２１０に接続されたままになるようになっている。ＲＦコイル位置決めシステム４２０は、センタリング・ロッド４８０の周りに回転することが可能である。このように、ＲＦコイル位置決めシステム４２０は、カプセル・インキュベーター２１０の中の乳児にアクセスするために、緊急時に迅速に除去され得る。いくつかの実施形態では、ＲＦコイル位置決めシステム４２０は、２０１４年５月２１日に出願された米国特許出願公開第２０１６／００８９０５５号明細書に説明されているように回転させられ得、その内容全体は、その全体が参照により本明細書に組み込まれている。
【００７９】
いくつかの実施形態では、ＲＦコイル位置決めシステム４２０は、開位置と閉位置との間でスライドすることができる２つの部分を含むことが可能であり、乳児の頭部がＲＦコイル位置決めシステム４２０の中にある間に、乳児へのアクセスを許容する。図４Ｃ〜図４Ｄは、本発明の例示目的の実施形態による、第１の部分４８５ａと、第２の部分４８５ｂと、ウィンドウ部分４８７ａおよび４８７ｂとを有するＲＦコイル位置決めシステム４２０を示している。第１の部分４８５ａは、第２の部分４８５ｂに対してスライドすることが可能であり、ＲＦコイル位置決めシステム４２０が開き、乳児４９０がアクセスされ得るようになっている。
【００８０】
ＲＦコイル位置決めシステム４２０は、２０１７年３月９日に出願された米国特許出願第１５／５４５，５７２号明細書に示されているようなＲＦコイル・アッセンブリであることが可能であり、それは、その全体が参照により本明細書に組み込まれている。
【００８１】
いくつかの実施形態では、ＲＦコイル位置決めシステム４２０ケーシングは、非磁性材料から作製されている。
【００８２】
いくつかの実施形態では、ＲＦコイル位置決めシステム４２０は使用されず、当技術分野で知られているようなＲＦコイルが、乳児の周りに位置決めされている。
【００８３】
図２に戻ると、さまざまな実施形態では、第１の端部２３５および／または第２の端部２４０は、端部ピース（図示せず）を介してプラグされている。さまざまな実施形態では、第１の端部２３５および／または第２の端部２４０は、それぞれの端部部分を有する第１のフラップ２２５および／または第２のフラップ２３０を介してプラグされている。
【００８４】
図５Ａは、本発明の例示目的の実施形態による、カプセル・インキュベーター５２０のための端部ピース５１０の図である。端部ピース５１０は、カプセル・インキュベーター５２０の第１の端部２３５および／または第２の端部２４０をプラグするために使用され得る。図５Ｂは、本発明の例示目的の実施形態による、カプセル・インキュベーター５２０の例である。カプセル・インキュベーター５２０は、それぞれの端部部分５４５ａ、５４５ｂ、ならびに、５５５ａおよび５５５ｂを含む、第１のフラップ５２５および第２のフラップ５３０を含む。第１のフラップ５２５および第２のフラップ５３０が接続しているときに、それぞれの端部部分５４５ａおよび５５５ａが接続し、また、端部部分５４５ｂおよび５５５ｂが接続している。
【００８５】
いくつかの実施形態では、カプセル・インキュベーター２０は、軸線の周りに回転する単一のＬ字形状のフラップであることが可能である。たとえば、図５Ｃおよび図５Ｄは、１つのフラップ５８０を有するＬ字形状のカプセルの図である。フラップ５８０は、枢動点５９０ａおよび５９０ｂの周りに回転し、点５９５ａおよび５９５ｂにおいて閉じる。
【００８６】
図２に戻ると、いくつかの実施形態では、底部部分２１５は、ノブ２４５を含むことが可能である。ノブ２４５は、患者ベッド２５０が底部部分２１５に連結されることを可能にすることができる。患者ベッド２５０は、上昇および低下させられ得、乳児の頭部が実質的にＲＦコイルの中心に位置決めされることを可能にする。
【００８７】
いくつかの実施形態では、患者ベッド２５０は、折り畳み可能なベッドである。図６Ａは、本発明の例示目的の実施形態による、患者ベッド６６５を備えたカプセル・インキュベーター２１０の正面図である。図６Ｂは、本発明の例示目的の実施形態による、患者ベッド６６５の上から見下ろした図である。患者ベッド６６５は、２つの枢動線６７０ａおよび６７０ｂ、ならびに、第１の部分６７５ａ、第２の部分６７５ｂ、および第３の部分６７５ｃを含むことが可能である。乳児は、第１の部分６７５ａの上に横たわることが可能であり、第２の部分６７５ｂおよび第３の部分６７５ｃは、そのそれぞれの枢動線６７０ａおよび６７０ｂの周りにそれぞれ回転することが可能であり、患者ベッド２６５が乳児を包み込むことができるようになっている。いくつかの実施形態では、カプセル・インキュベーター２１０の第１のフラップ２２５および第２のフラップ２３０が閉じられているときに、第２の部分６７５ｂおよび第３の部分６７５ｃは、乳児を包み込む。たとえば、第２の部分６７５ｂおよび第３の部分６７５ｃは、軟質材料から作製され得、手動で乳児に巻き付けられ得る。
【００８８】
いくつかの実施形態では、患者ベッド６６５は、材料の複数の層を有している。いくつかの実施形態では、患者ベッド６６５の層のうちの１つは、ブランケットを含むことが可能である。いくつかの実施形態では、患者ベッド６６５は、ＲＦコイル層（図示せず）を含むことが可能であり、ＲＦコイル層は、患者ベッド６６５の上部層（たとえば、クッション性のあるファブリック層）および底部層（たとえば、クッション性のあるファブリック層）の中に位置決めされている。ＲＦコイル層は、ロールされた可撓性のプリント回路基板（ＰＢＣ）であることが可能である。ＲＦコイル層のサイズは、イメージングされることとなる身体パーツに依存することが可能である。患者ベッド６６５の第２の部分６７５ｂおよび第３の部分６７５ｃが乳児に巻き付けられているときに、ＲＦコイルが乳児の所望の身体パーツの周りに形成されるように、ＲＦコイル層が位置決めされ得る。たとえば、ＲＦコイル層は、患者ベッド６６５の中に位置決めされ得、第２の部分６７５ｂおよび第３の部分６７５ｃが乳児に巻き付けられているときに、ＲＦコイルが乳児の肺の周りに形成されるようになっている。いくつかの実施形態では、ＲＦコイル層は、患者ベッド２６５の中で可動であるかまたは静止していることが可能である。たとえば、ＲＦコイル層は、ベッドの中へのインサートであることが可能である。いくつかの実施形態では、１つまたは複数の温度センサーが、患者ベッド２６５の中および／または上に位置決めされており、乳児の温度がモニタリングされ得るようになっている。
【００８９】
いくつかの実施形態では、乳児は、ラップの中に設置される。図７Ａおよび図７Ｂは、本発明の例示目的の実施形態による、ＲＦコイルがその中に埋め込まれているラップ６８０の例を示している。ラップは、材料の複数の層を含むことが可能である。いくつかの実施形態では、ラップ６８０は、ＲＦコイル層を含むことが可能であり、ＲＦコイル層は、ラップ６８０の上部層（たとえば、クッション性のあるファブリック層）および底部層（たとえば、クッション性のあるファブリック層）の中に位置決めされている。ＲＦコイル層は、ロールされた可撓性のプリント回路基板（ＰＢＣ）であることが可能である。ラップ６８０が乳児の上の適切な位置にあるときに、ＲＦコイルが乳児の所望の身体パーツの周りに形成されるように、ＲＦコイル層が位置決めされ得る。たとえば、ＲＦコイル層は、ラップ６８０の中に位置決めされ得、ラップ６８０が閉じられているときに、ＲＦコイルが乳児の頭部の周りに形成されるようになっている。いくつかの実施形態では、温度センサー６８５は、ラップ６８０の中に位置決めされ得、乳児の温度がモニタリングされ得るようになっている。いくつかの実施形態では、１つまたは複数のセンサー（たとえば、温度、モーション、および／または酸素）が、ラップ６８０の中および／または上に位置決めされており、乳児のパラメーターがモニタリングされ得るようになっている。
【００９０】
患者ベッド６６５またはラップ６８０の中にＲＦコイルを位置決めすることは、たとえば、イメージングされることとなる物体に対してＲＦコイルが極めて近接していることに起因して、改善された信号対騒音比（ＳＮＲ）を結果として生じさせることが可能である。
【００９１】
図２に戻ると、カプセル・インキュベーター２１０は、カート（たとえば、図１において上記に説明されているようなカート１２０）に取り付けることが可能である。カプセル・インキュベーター２１０は、ＲＦシールド構造体（たとえば、図３Ｂにおいて上記に説明されているような、ＲＦシールド構造体３２０の第２の表面３２３）を介して、カート１２０に取り付けることが可能である。図８Ａは、本発明の例示目的の実施形態による、ＲＦシールド構造体８２０を介してカート８１５に連結されているカプセル・インキュベーター８１０の図である。いくつかの実施形態では、カプセル・インキュベーター８１０は、コネクターを介してカート８１５に取り付けることが可能である。図８Ｂは、本発明の例示目的の実施形態による、コネクター８２５を介してカート８１５に連結されているカプセル・インキュベーター８１０の図である。コネクター８２５は、カプセル・インキュベーター８１０に面する第１の表面８３０ａ、および、カート８１５に面する第２の表面８３０ｂを含むことが可能である。第１の表面８３０ａは、カプセル・インキュベーター８１０またはＲＦシールド構造体８２０と嵌合することが可能である。たとえば、当技術分野で知られているような嵌合構造体を介して行われる。第２の表面８２０ｂは、カート８１５と嵌合することが可能である。たとえば、当技術分野で知られているような嵌合構造体を介して行われる。
【００９２】
コネクター８２５は、幅ＷＣを有することが可能である。幅ＷＣは、カプセル・インキュベーター８１０がイメージング・デバイスの中で位置決めされることとなる場所に依存することが可能である。たとえば、図１１Ｂにおいて下記に示されているように、カプセル・インキュベーター８１０は、ボアを有するＭＲＩの中へ挿入され得、ボアは、１つの端部がボア進入口の非常に近くにある状態でカプセル・インキュベーター８１０が位置決めされ得るようにサイズ決めされている（たとえば、図２において上記に説明されているように、カプセル・インキュベーターの底部部分の長さおよび幅に実質的に等しい長さおよび幅）。別の例では、カプセル・インキュベーター８１０は、オープン・ボアを有するＭＲＩの中へ挿入され得、カプセル・インキュベーター８１０がボア進入口から所定の距離（たとえば、１．５フィートから５フィート）に位置決めされ得るようになっている。それぞれ異なる幅Ｗを有する複数のコネクター８２５が存在することが可能であり、カプセル・インキュベーター８１０が、カート８１５からカプセル・インキュベーター８１０を切り離す必要なしに、複数のイメージング・デバイスの中に位置決めされ得るようになっている。
【００９３】
いくつかの実施形態では、カプセル・インキュベーター８１０は、ピラーの周りに回転させられ、図８Ｃに示されているように、カプセル・インキュベーター８１０がカート９２０から離れて延在するようになっている。これらの実施形態では、カプセル・インキュベーター８１０がＭＲＩの中へ押し込まれるときに、カート９２０は、ＭＲＩの下にドッキングする必要はない。このように、カートは、カプセル・インキュベーターをイメージング・デバイスへ輸送するために使用され得、イメージング・デバイスは、カート底部がイメージング・デバイスの下でドッキングされることを許容しない。
【００９４】
図９Ａは、本発明の例示目的の実施形態による、ＲＦコイル位置決めシステム９５０がカプセル・インキュベーター９１０の下に位置決めされている状態で、ＲＦシールド構造体９３０およびコネクター９４０を介してカート９２０に連結されているカプセル・インキュベーター９１０の図である。カプセル・インキュベーター９１０は、開いた構成になっている。ＲＦコイル位置決めシステム９５０は、カプセル・インキュベーター９１０の下に位置決めされている状態と、（たとえば、図４Ａおよび図４Ｂにおいて上記に説明されているように）それがカプセル・インキュベーター９１０の中へスライドすることができるように位置決めされている状態との間で、回転することが可能である。図９Ｂは、本発明の例示目的の実施形態による、ＲＦコイル位置決めシステム９５０がカプセル・インキュベーター９１０の中の乳児９６０の頭部の周りに位置決めされた状態でＲＦシールドされた構造体９３０およびコネクター９４０を介してカート９２０に取り付けられているカプセル・インキュベーター９１０の図である。カプセル・インキュベーター９１０は、閉位置になっている。図９Ｃは、本発明の例示目的の実施形態による、第１の端部９５５を有する、ＲＦシールドされた構造体９３０を介してカートに取り付けられているカプセル・インキュベーター９１０の図である。図９Ｃでは、ＲＦコイル９６５は、新生児の中間セクションの周りに位置決めされている。当業者に明らかであるように、ＲＦコイルは、イメージングされることとなる新生児の任意の身体パーツの周りに位置決めされ得る。
【００９５】
いくつかの実施形態では、カプセル・インキュベーターは、カプセル・インキュベーターの第１のおよび／または第２のフラップを開位置に支持するための安全メカニズムを含む。図９Ｅおよび図９Ｄは、サポート９８０の例であり、サポート９８０は、カプセル・インキュベーター２１０の底部から延在しており、カプセル・インキュベーターのフラップが開位置にあるときに、フラップがサポート９８０の上に置かれ得るようになっている。サポート９８０は、フラップが破壊することなく、追加的な重量（たとえば、乳児）がフラップの上に位置決めされることを許容する。いくつかの実施形態では、２つのフラップのそれぞれのためのサポートが存在している。いくつかの実施形態では、それぞれのフラップを支持するために２つのサポートが存在している。当業者に明らかであるように、追加的なサポートは、それぞれのフラップが耐えることができる重量を増加させるために含まれ得る。
【００９６】
いくつかの実施形態では、サポートは、カプセル・インキュベーターの全体長さを延長するフラップである。
【００９７】
図２に戻ると、いくつかの実施形態では、カプセル・インキュベーター２１０は、ドック・インキュベーター（図示せず）の中へ挿入される。図１０は、本発明の例示目的の実施形態による、ドック・インキュベーター１０２０の中にドッキングされたカプセル・インキュベーター１１１０の図である。ドック・インキュベーター１０２０は、インデント１０１５を有することが可能であり、インデント１０１５は、カプセル・インキュベーター１１１０を受け入れることが可能である。このように、カプセル・インキュベーター１１１０は、ドック・インキュベーター１０２０の正確な場所に位置決めされ得る。さまざまな実施形態では、カプセル・インキュベーター１１１０の底部部分１１１７は、凹部（図示せず）を含み、ドック・インキュベーター１０２０は、トラック（図示せず）を含み、カプセル・インキュベーター１１１０がドック・インキュベーター１０２０の中の所定の位置の中へスライドするようになっている。いくつかの実施形態では、カプセル・インキュベーター１１１０の底部部分１１１７およびドック・インキュベーター１０２０は、当技術分野で知られているような任意のメカニズムを含み、カプセル・インキュベーター１１１０がドッキング・インキュベーター１０２０の中の特定の場所にドッキングすることを引き起こす。
【００９８】
図２に戻ると、いくつかの実施形態では、カプセル・インキュベーター２１０は、カプセル・インキュベーター２１０を受け入れるボアを有するＭＲＩデバイスの中へ挿入される。図１１Ａは、本発明の例示目的の実施形態による、カプセル・インキュベーター１１１０を受け入れることができるＭＲＩデバイス１１００の図である。ＭＲＩデバイス１１００は、ボア１１２５および凹部１１１５を含むことが可能である。ボア１１２５は、カプセル・インキュベーター１１１０を受け入れることが可能であり、凹部１１１５は、図１１Ｂに示されているように、カート１１４０の水平方向のベース１１１７を受け入れることが可能である。拡大図１１２７は、ボア・プラグ１１２４がそこに位置決めされていない状態のボアの例を示している。ボア１１２５は、コネクター１１２６を含むことが可能であり、コネクター１１２６は、ＲＦ位置決めシステムの上の１つまたは複数のコネクター（たとえば、上記に説明されているような１つまたは複数のコネクター４７０）と連結することが可能である。ボア１１２８ａ、１１２８ｂの表面は、ＲＦシールディング構造体の表面と嵌合することが可能であり、アクセス・ポート３４２が実質的に閉じられ、１つまたは複数の医療用デバイスが、ＭＲＩの中にいる間の乳児に接続されたままになるように、閉じたチューブのような構造体を形成するようになっている。
【００９９】
いくつかの実施形態では、ＭＲＩデバイス１１００は、図１１Ｈに関してさらに詳細に下記に説明されているようなアンチ・スラム・ロッキング・システムを含む。凹部１１１５は、トラック１１４２ａおよび１１４２ｂを含み、底部部分１１１７を受け入れることが可能である。ＭＲＩ１１００は、ボア・プラグ１１２４を含むことが可能であり、ボア・プラグ１１２４は、カプセル・インキュベーター１１１０がその中に挿入されていないときに、ボア１１２５を閉じるために使用され得る。いくつかの実施形態では、ボア１１２５およびボア・プラグ１１２４のサイズは、カプセル・インキュベーター１１１０のサイズに基づいている。
【０１００】
ＭＲＩデバイス１１００のハウジングは、ＭＲＩデバイス１１１０の中の永久磁石などのような磁石によって発生させられる磁界（たとえば、フリンジ磁界）から、および、ＭＲＩデバイス１１００の中の１つまたは複数のＲＦコイル（図示せず）、または、ＭＲＩデバイスの中へ挿入されている１つまたは複数のＲＦコイルによって発生させられるＲＦエネルギーから、ＭＲＩデバイス１１００の外部の環境をシールドする材料から作製され得る。また、ＭＲＩデバイス１１００のハウジングは、ＭＲＩデバイス１１００の外部の磁界およびＲＦエネルギーがＭＲＩデバイス１１００に進入し、したがって、イメージング結果の中に干渉を引き起こすことを防止することが可能である。ＭＲＩデバイス１１００は、永久磁石ベースのＭＲＩであることが可能である。ＭＲＩデバイス１１００は、米国特許第７，４００，１４７号明細書および／または米国特許第７，３１５，１６８号明細書に説明されているようなＭＲＩデバイスであることが可能であり、その両方は、その全体が参照により本明細書に組み込まれている。
【０１０１】
ＭＲＩデバイス１１００は、ビデオ・ディスプレイ１１０２を含むことが可能である。ビデオ・ディスプレイ１１０２は、カプセル・インキュベーター１１１０がＭＲＩデバイス１１００の中にあるときに、乳児のイメージを表示することが可能である。このように、乳児は、ＭＲＩデバイス１１００の内側にあるときに視覚的にモニタリングされ得る。ＭＲＩデバイス１１００の中のカメラの設置は、米国特許出願第１５／４０２，４３７号明細書に説明されているようなものであることが可能であり、それは、その全体が参照により本明細書に組み込まれている。
【０１０２】
図１１Ｂを見てみると、カート１１４０と接続するカプセル・インキュベーター１１１０の端部１１２０は、端部１１２０がＭＲＩデバイス１１００のボア１１２５を閉じることを許容し得る様式で、ＭＲＩデバイス１１００のボア１１２５と嵌合することが可能である。カプセル・インキュベーター１１１０の端部１１２０は、ＭＲＩデバイス１１００の中の磁石によって発生させられる磁界から、および／または、ＭＲＩデバイス１１００の中のＲＦコイルによって発生させられるＲＦエネルギーから、ＭＲＩデバイス１１００の外部の環境をシールドする材料から作製され得る。また、ＭＲＩデバイス１１００のカプセル・インキュベーター１１１０の端部１１２０は、ＭＲＩデバイス１１００の外部の磁界および／またはＲＦエネルギーがＭＲＩデバイス１１００に進入し、したがって、イメージング結果の中に干渉を引き起こすことを防止する。
【０１０３】
カプセル・インキュベーター１１１０の端部１１２０は、ＲＦシールド構造体（たとえば、図３Ｂにおいて上記に説明されているようなＲＦシールド構造体３２０）を含むことが可能である。ＲＦシールド構造体３３０Ａは、乳児がカプセルおよびカートを介してＭＲＩデバイス１１００の中へ挿入されている間に、乳児に取り付けられているチューブが乳児に取り付けられたままになることを許容することができ、また、磁気漏洩および／またはＲＦ漏洩なしに、チューブがＭＲＩデバイス１１００の内側と外との間に延在することを許容することができる。
【０１０４】
ＲＦシールディング構造体およびＭＲＩデバイス１１００は、ＭＲＩデバイス１１００の内側の磁界およびＲＦフィールドから、ＭＲＩデバイス１１００の外側の環境をシールドするので（その逆も同様）、ＭＲＩデバイス１１００は、（たとえば、病院の中の乳児集中治療室（ＮＩＣＵ）の中の、または、分娩ユニットの中の）任意の場所に位置決めされ得、ＭＲＩルームに関する要件を排除する。ＭＲＩに関して乳児を準備する（たとえば、生命維持を除去し、生命維持をＭＲＩ生命維持機器と交換する、乳児をそのインキュベーター環境から除去する、輸送インキュベーターの中で乳児を輸送する、および／または、乳児をＭＲＩデバイスの中へ輸送する）ために典型的に必要とされる時間は、ＭＲＩデバイスが乳児とともにルームの中に配列されている状態で、および、乳児の生命維持機器を除去／再接続する必要なしに、または、乳児をその環境から移動させる必要なしに、数分まで低減され得る。
【０１０５】
図１１Ｃは、本発明の例示目的の実施形態による、ＭＲＩデバイス１１００のボア１１２５と嵌合するＲＦシールディング構造体３３０Ａを有するカプセル・インキュベーター１１１０の端部１１２０の側面図である。カプセル・インキュベーター１１１０がＭＲＩデバイス１１００の中へ挿入されているときに、ＲＦシールディング構造体３３０Ａは、ＭＲＩデバイス１１００のボア１１２５と嵌合し、ＭＲＩデバイス１１００のボア１１２５に実質的に閉じる。図１１Ｄにおいてより詳細に示されているように、医療用チュービング１１４０は、ＭＲＩデバイス１１００のボア１１２５の内部から、ＲＦシールディング構造体３３０Ａを通して、ＭＲＩデバイス１１００の外部の場所へ延在することが可能である。
【０１０６】
いくつかの実施形態では、カプセル・インキュベーター１１１０および／またはカート１１４０が、ＭＲＩデバイス１１００へカプセルを輸送するために使用され、カプセル・インキュベーター１１１０の端部１１２０またはカート１１４０のいずれもＭＲＩデバイス１１００のボアを閉じない。図１１Ｅは、ＭＲＩデバイス１１６０（たとえば、当技術分野で知られているような超伝導体ＭＲＩデバイス）の側断面図であり、カート１１４０が、カプセル・インキュベーター１１１０をＭＲＩデバイス１１６０へ輸送するために使用されている。
【０１０７】
図１１Ｆは、本発明の例示目的の実施形態による、カート１１４０に連結されており、超伝導体磁石ＭＲＩデバイス１１６０の中へ挿入されている、カプセル・インキュベーター１１１０の図である。いくつかの実施形態では、超伝導体磁石ＭＲＩデバイス１１６０は、第１のＲＦおよび磁気シールディング・ドア１１５２、および、第２のＲＦおよび磁気シールディング・ドア１１５２を含むことが可能である。ＲＦおよび磁気シールディング・ドア１１５２および１１５３は、ＲＦおよび磁界を実質的にシールドする材料から作製され得る。ドア１１５２は、開口部（図示せず）を含むことが可能であり、それは、カプセル・インキュベーター１１１０に連結されているＲＦシールディング構造体がドア１１５２の開口部をシールすることを可能にし、ＲＦおよび磁気放射線が超伝導体磁石ＭＲＩデバイス１１６０に進入／退出しないようになっている。ドア１１５２および１１５３は、既存の超伝導体磁石ＭＲＩデバイスの上に改造され得る。このように、超伝導体磁石ＭＲＩデバイスは、ＭＲＩシールドされたルームから除去され得、カプセル・インキュベーター１１１０の中の乳児をイメージングするための任意の場所に置かれ得る。
【０１０８】
いくつかの実施形態では、カプセル・インキュベーター１１１０は、図１１Ｇに示されているように、カート１１４０から切り離され得、ＭＲＩデバイス１１６０の中に設置され得る。いくつかの実施形態では、ドア１１５２および１１５３は、改造され得ると同時に、ＲＦおよび磁気シールディング・ドアであることも可能である。２つのシールディング・ドア１１５２および１１５３のうちの少なくとも１つは、２つの開口部、および、所定の長さ対幅の比率（たとえば、５対１）を有する導管を含むことが可能であり、医療用チュービングが、ＭＲＩデバイス１１６０の内部からＭＲＩデバイス１１６０の外部へ延在することが可能であるようになっており、ＲＦおよび磁気シールディングが実質的に維持される。
【０１０９】
いくつかの実施形態では、ドア１１５２および１１５３のうちの少なくとも１つは、ハニカム・チュービングまたはメッシュ材料から作製されており、空気がＭＲＩデバイス１１６０のボア１１２５を通して流され得るようになっており、たとえば、ボア１１２５の中の温度および／または湿度制御を可能にする。いくつかの実施形態では、２つのシールディング・ドア３６０のうちの少なくとも１つは、ＲＦシールドされたスリーブを含むことが可能であり、カプセル・インキュベーター１１１０がスリーブを介してＭＲＩデバイスの中へ挿入されるようになっている。これらの変形例では、ハニカム・チュービングのそれぞれのチューブ、メッシュの中のそれぞれの孔部、および／またはスリーブは、ＲＦシールディングに関する長さ対幅の比率（たとえば、５対１）を守ることが可能である。
【０１１０】
図１１Ｅ、図１１Ｆ、図１１Ｇに示されているように、カプセル・インキュベーター１１１０の中に配設されている乳児のＭＲＩは、乳児の医療用チューブを除去することなく、既存のＭＲＩデバイス（たとえば、当技術分野で知られているような超伝導体ＭＲＩ）によって実施され得る。乳児のＭＲＩは、ＲＦシールドされたルーム（たとえば、アルミニウム・シールド）の中にＭＲＩを有することなく実施され得る。当技術分野で知られているように、ＭＲＩルームをＲＦシールディングすることは、非常に高価であり、したがって、ＲＦシールドされたルームの中でというよりもむしろ、一般的なルームの中でＭＲＩを実施する能力は、かなりのコスト節減を提供することが可能であり、および／または、スペースを欠く医院、より小さい病院、および／または都市部の病院がＭＲＩイメージングを実施することを可能にする。
【０１１１】
カートを介してカプセルの中の乳児を輸送することは、乳児のために一定の環境を提供することが可能であり、また、乳児の輸送および／またはイメージングの間に、医療従事者が１つまたは複数の環境および／または機器を殺菌しなければならないということを防止する。また、カートを介してカプセルの中の乳児を輸送することは、乳児を輸送するために、物理的により挑戦的でないメカニズムを提供することが可能である（たとえば、より重くなく、より嵩張らず、移動させるためにより少ない要員を必要とするなど）。
【０１１２】
図１１Ｈは、本発明の例示目的の実施形態による、アンチ・スラム・ロッキング・システム１１９０の図である。アンチ・スラム・ロッキング・システム１１９０は、ＭＲＤデバイス１１６０に取り付けられている液圧式ピストン１１９１と、カート１１４０に取り付けられているコレット１１９２とを含むことが可能である。動作の間に、カート１１４０がＭＲＩデバイス１１６０の凹部１１１５の中へ移動させられるときに、カート１１４０が大きい力によって押されたとしても、カート１１４０がＭＲＤデバイス１１６０の凹部１１１５の中のその最終的な位置に接近するときに、カート１１４０が減速するように、液圧式ピストン１１９１およびコレット１１９２が嵌合する。このように、カート１１４０が力強く押されたとしても、カプセル・インキュベーターの中の乳児は、ＭＲＤデバイス１１６０の中への滑らかな移行を経験することが可能である。
【０１１３】
図１１Ｉ、図１１Ｊ、および図１１Ｋは、本発明の例示目的の実施形態による、カプセル１１１０が超伝導体ＭＲＩデバイス１１００の中へ挿入されている、超伝導体ＭＲＩデバイス１１００の図である。超伝導体ＭＲＩデバイス１１００は、それぞれ、２つのドア１１２２ａおよび１１２２ｂを含むことが可能である。ドア１１２２ａは、ボア１１１８を含むことが可能である。カプセル１１１０は、ボア１１１８の中へ、ＭＲＩデバイス１１００の中へ挿入され得る。ボア１１１８は、端部１１１７によって電気的におよび磁気的にシールされ得る。端部１１１７は、ＲＦシールド構造体１１２０を含むことが可能である。端部１１１７は、サポート１１２９に連結され得る。カプセル１１１０に連結されている端部１１１７は、ガイド・レール１１２３を介して超伝導体ＭＲＩデバイス１１００の中へスライドすることが可能である。いくつかの実施形態では、端部１１１７およびＲＦシールド１１２０は、カート（たとえば、上記に説明されているような図８Ｃに示されているようなカート）に連結されており、カートは、超伝導体ＭＲＩデバイス１１００の中にカプセルを位置決めするために使用される。
【０１１４】
図１１Ｆは、本発明の例示目的の実施形態による、カートに連結されており、超伝導体磁石ＭＲＩデバイスの中へ挿入されている、カプセル・インキュベーターの図である。
【０１１５】
図１２Ａは、本発明の例示目的の実施形態による、カプセル・インキュベーター１２１０を輸送するためのカート１２２０およびカプセルの図である。カート１２２０は、水平方向の（ｈｏｒｔｉｚｏｎｔａｌ）ベース１２２５、ピラー１２３０、コネクター１２４５、制御パネル１２５０、および４つのホイール１２５５を含むことが可能である。
【０１１６】
水平方向のベース１２２５は、ストレージ・コンパートメント１２６０を含むことが可能である。４つのホイール１２５５は、水平方向のベース１２２５に連結され得る。さまざまな実施形態では、水平方向のベース１２２５は、４つ未満のホイール、３つのホイール、および／または２つの大きいホイールを有している。水平方向のベース１２２５は、ブレーキ・ペダル（図示せず）を含むことが可能である。ブレーキ・ペダルは、押圧されたときにカート１２２０が停止することを引き起こすことが可能である。
【０１１７】
ピラー１２３０は、水平方向のベース１２２５に連結されており、水平方向のベース１２２５から垂直方向に延在することが可能である。ピラー１２３０は、電源ソケット１２３２、空気入口部１２３３、および／またはグロメット（図示せず（ｎｏｔｅ  ｓｈｏｗｎ））を含むことが可能である。いくつかの実施形態では、ピラー１２３０は、クリップ（図示せず）を含み、カプセル・インキュベーターの中の乳児からＲＦシールディング構造体を通って延在するチュービングが安定化させられ得るようになっている。安定化は、たとえば、チュービングの望まれない移動が起こらないことを確保し、乳児に接続されているチューブが移動させられないようになっている。たとえば、乳児がＩＶチュービングを有する場合には、チュービングが乳児を強く引っ張らないように同じ場所にあるままであるということが重要である可能性がある。
【０１１８】
図１２Ｂは、本発明の例示目的の実施形態による、空気入口部１２３３の図である。空気入口部１２３３は、ピラー１２３０の中に位置決めされている空気吸い込みメカニズム（たとえば、ファン）が新鮮な空気をピラー１２３０の中へ引き込むことを可能にすることができ、次いで、それは、（たとえば、図３Ｂにおいて上記に説明されているようなＲＦシールド３４５を介して）カプセル・インキュベーター１２１０の中へ循環させられ得る。また、空気入口部１２３３は、加熱されたおよび／または冷却された空気（たとえば、ピラー１２３０の中の加熱器を介して加熱される、および／または、ピラー１２３０の中のエア・コンディショナーを介して冷却される）がインキュベーターに進入することを可能にすることができる。
【０１１９】
図１２Ｃは、本発明の例示目的の実施形態による、電源ソケット１２３２の図である。電源ソケット１２３２は、カート１２２０がＡＣ電源またはＤＣ電源（たとえば、標準的なＡＣ壁コンセントおよび／または、ポータブルＡＣもしくはＤＣ充電デバイス）から電力を受け入れることを可能にすることができる。制御パネル１２５０、および／または、空気吸い込み部／空気出口部は、電源ソケット１２３２から電力を受け取ることが可能である。いくつかの実施形態では、ピラー１２３０は、テレスコープ式になっており、カート１２２０に連結されているカプセル・インキュベーターの高さが調節可能になるようになっている。
【０１２０】
カート１２２０は、ハンドル１２６５および／またはディスプレイ１２５２を含むことが可能である。図１２Ｄは、本発明の例示目的の実施形態による、ハンドル１２６５、ディスプレイ１２５２、および制御パネル１２５０の図である。ディスプレイ１２５２は、タッチ・スクリーンであることが可能である。制御パネル１２５０は、以下の機能、すなわち、ａ）ベッドをオンおよびオフにする機能；ｂ）カプセル・インキュベーターの内側の温度を設定する機能；ｃ）視覚的なおよび／または聴覚的な警報信号を表示する機能；ｄ）電力および／またはドッキング状態に関するインジケーターを表示する機能；ｅ）警報ボリュームを調節する機能；および／または、ｆ）カプセル・インキュベーターの内側のライトをオンおよびオフにする機能を有することが可能である。
【０１２１】
いくつかの実施形態では、警報は、ＲＦシールディング構造体の温度とフラップの温度のとの間の差が閾値（たとえば、２〜１０度）よりも大きくなっているということを示し、したがって、フラップが十分に閉じられていない可能性があるということを示す。いくつかの実施形態では、警報は、カプセル・インキュベーターの内側の空気温度がオペレーターによって設定される空気温度よりも閾値（たとえば、３度）だけ大きくなっているということを示す。いくつかの実施形態では、警報は、カプセル・インキュベーターの内側の温度が許容可能な閾値（たとえば、摂氏３８度）よりも大きいということを示す。いくつかの実施形態では、警報は、カプセル・インキュベーターの内側の温度が許容可能な閾値（たとえば、摂氏３度）よりも低いということを示す。いくつかの実施形態では、警報は、カプセル・インキュベーターの中のファンが作動すること停止したということを示す。いくつかの実施形態では、警報は、カプセル・インキュベーターの中の空気フローの障害物を示す。いくつかの実施形態では、警報は、（たとえば、カートがポータブル電力供給部に接続されているときに）低バッテリー条件を示す。いくつかの実施形態では、警報は、システム故障（たとえば、スキャンが完了しなかった）を示す。
【０１２２】
カート１２２０は、ＲＦおよび磁界シールディング材料から作製され得、または、非磁性材料から作製され得、任意のコンピューター機器、生命維持機器、または、カート１１４０の本体部の中に貯蔵されている任意の物体が、ＭＲＩデバイスの磁界および／またはＲＦフィールドからシールドされ得るようになっている。
【０１２３】
いくつかの実施形態では、カート１２２０、および、カプセルの外側の任意の他の機器は、非磁性材料から作製されており、それらが、超伝導体ＭＲＩデバイスなどのような、外部磁界を伴うＭＲＩデバイスの環境の中で使用され得るようになっている。
【０１２４】
図１３Ａは、本発明の例示目的の実施形態による、ドック・インキュベーター１３００の例である。ドック・インキュベーター１３００は、２つのドア１３１３ａおよび１３１３ｂ、１つまたは複数のアクセス・ポート１３１２、１つまたは複数のノブ１３２５、および突出部１３５０を含むことが可能である。
【０１２５】
２つのドア１３１３ａおよび１３１３ｂは、示されているような垂直方向のスライディング・ドアであることが可能である。さまざまな実施形態では、２つのドア１３１３ａおよび１３１３ｂは、水平方向のスライディング・ドア、スウィンギング・ドア、および／または、当技術分野で知られているような他のドアである。２つのドア１３１０ａおよび１３１０ｂは、自動的にまたは手動で作動させられ得る。
【０１２６】
１つまたは複数のアクセス・ポート１３１２ａ、１３１２ｂ、．．．、１３１２ｎ（全体的に１３１２）は、ドック・インキュベーター１３００のさまざまな場所に位置決めされ得る。アクセス・ポート１３１２は、インキュベーター１３００の内側の環境を実質的に乱すことなく、手および／または医療用機器をドック・インキュベーター１３００の中へ挿入することを可能にすることができる。いくつかの実施形態では、２つのドア１３１３ａおよび１３１３ｂは、アクセス・ポート（図示せず）をそれぞれ含む。
【０１２７】
ドック・インキュベーター１３００は、突出部１３５０（たとえば、または、任意のタイプの接続ガイド）を含むことが可能であり、突出部１３５０は、カプセル（図示せず）の凹部（たとえば、図１０においてさらに詳細に示されているような凹部１０１５）と嵌合するように位置決めされており、カプセルがドック・インキュベーター１３００の中へ挿入されているときに、カプセルがドック・インキュベーター１３００の中の特定の位置へガイドされるようになっている。突出部１３５０および凹部は、２つの物体を特定の位置へと連結するための、当技術分野で知られているような任意の嵌合可能なメカニズムであることが可能である。
【０１２８】
１つまたは複数のノブ１３２５ａ、１３２５ｂ、．．．．１３２５ｎ（全体的に１３２５）は、カプセル・インキュベーターのフラップ（たとえば、図２において上記に説明されているような第１のフラップ２２５および第２のフラップ２３０）が完全に開いているときに、第１のフラップおよび第２のフラップが１つまたは複数のノブ１３２５の頂部の上に置かれるように位置決めされ得る。
【０１２９】
図１３Ｂは、本発明の例示目的の実施形態による、カプセル１３１０のカプセル・インキュベーター・フラップ１３５５ａおよび１３５５ｂがノブ１３２５の上に置かれている状態のドック・インキュベーター１３００の断面図である。フラップ１３５５ａおよび１３５５ｂがノブ１３２５の上に置かれている状態で、空気がドック・インキュベーター１３００の底部の中へ流され、サイド・フラップの周りに循環させられ得るように、スペースが生成され得る。
【０１３０】
図１４Ａ〜図１４Ｉは、本発明の例示目的の実施形態による、カプセル・インキュベーターがドック・インキュベーターの中にドッキングする図である。とりわけ、図は、カプセル・インキュベーターがカートに取り付けられている状態から、カプセル・インキュベーターがドッキング・インキュベーターの中にドッキングされている状態への進行を示している。図１４Ａは、ＲＦシールディング構造体１４２５を介してカート１４２０に連結されているカプセル・インキュベーター１４１０と、ドック・インキュベーター１４３０とを示している。無線周波数コイル位置決めシステム１４４０が、カプセル・インキュベーター１４１０に連結されている。
【０１３１】
図１４Ｂは、第１のドア１４５０ａおよび第２のドア１４５０ｂを有するドック・インキュベーター１４３０を示している。第１のドア１４５０ａは開いている。図１４Ｃは、カプセル・インキュベーター１４１０がカート１４２０を介して第１のドア１４５０ａを通して挿入されていることを示している。図１４Ｄは、カプセル・インキュベーター１４１０がドッキング・インキュベーター１４３０の中にドッキングされているので、カート１４２０がカプセル・インキュベーター１４１０から切り離されていることを示している。図１４Ｅは、カート１４２０がドッキング・インキュベーター１４３０から離れるように移動させられ、第１のドア１４５０ａが閉じられ、カプセル・インキュベーター１４１０がドッキング・インキュベーター１４３０の中にドッキングされていることを示している。
【０１３２】
図１４Ｆは、ドッキング・インキュベーター１４３０の第２のドア１４５０ｂが開いていることを示している。図１４Ｇは、ＲＦコイル位置決めシステム１４４０が除去されていることを示している。ＲＦコイル位置決めシステム１４４０は、第２のドア１４５０ｂを通して除去され得る。いくつかの実施形態では、カプセル・インキュベーター１４１０は、ドッキング・インキュベーター１４３０の中へ第２のドア１４５０ｂを通して挿入され、ＲＦコイル位置決めシステム１４４０は、第１のドア１４５０ａを通して除去される。いくつかの実施形態では、第１のドア１４５０ａおよび／または第２のドア１４５０ｂは、それぞれ、乳児からボディＲＦコイルを除去するために使用される。
【０１３３】
図１４Ｈは、第２のドア１４５０ｂが閉じており、カプセル・インキュベーター１４１０のフラップが開いていることを示している。図１４Ｉは、第２のドア１４５０が閉じられており、カプセル・インキュベーター１４１０のフラップが完全に開いているということを示している。
【０１３４】
図１４Ａ〜図１４Ｉは、カプセル・インキュベーターがドッキング・インキュベーターの中にドッキングされる進行を示しているが、逆の進行も本発明の範囲の中にあるということが、当業者に明らかである。たとえば、カプセル・インキュベーターはドッキング・ステーションの中にドッキングされており、カプセル・インキュベーターのフラップは開いているが、カプセル・インキュベーターのフラップは閉じることが可能であり、ドッキング・インキュベーターの第１のドアは開くことが可能であり、ＲＦコイルは乳児の上に位置決めされ得（たとえば、ＲＦコイル位置決めまたはボディＲＦコイル）、カプセル・インキュベーターは（たとえば、ＲＦコイル・アッセンブリまたは上記に説明されているような別のプラグを介して）プラグされ得、ドッキング・インキュベーターの第２のドアは開くことが可能であり、カートはドッキング・インキュベーターへ押され得、ＲＦシールディング構造体がカートに連結する（たとえば、コネクターを介して連結するか、または、カート自身に直接的に連結する）ようになっており、カートは、カプセル・インキュベーターが取り付けられている状態で、ドッキング・インキュベーターから離れるように移動することが可能であり、ドッキング・インキュベーターの第２のドアは閉じることが可能である。カプセル・インキュベーターがカートに取り付けられている状態で、カプセル・インキュベーターは、ＭＲＩデバイス、または、上記に説明されているような任意の場所へ、乳児を輸送することが可能である。
【０１３５】
本発明の趣旨または本質的な特性から逸脱することなく、本発明が他の特定の形態で具現化され得るということを、当業者は認識することとなる。したがって、先述の実施形態は、本明細書で説明されている本発明を限定するというよりもむしろ、すべての観点において、例示目的であると考えられるべきである。したがって、本発明の範囲は、先述の説明によってというよりもむしろ、添付の特許請求の範囲によって示されており、したがって、特許請求の範囲の均等の意味および範囲の中に入るすべての変化は、その中に包含されているということが意図されている。
【０１３６】
先述の詳細な説明において、多数の具体的な詳細が、本発明の理解を提供するために述べられている。しかし、本発明は、これらの具体的な詳細なしに実践され得るということが当業者によって理解されることとなる。他の場合では、周知の方法、手順、およびコンポーネント、モジュール、ユニット、および／または回路は、本発明を曖昧にしないように、詳細に説明されてきていない。１つの実施形態を参照して説明されているいくつかの特徴またはエレメントは、他の実施形態を参照して説明されている特徴またはエレメントと組み合わせられ得る。
【０１３７】
本発明の実施形態は、この点において限定されていないが、たとえば、「処理する」、「コンピューター計算する」、「決定する」、「決定する」、「確立する」、「分析する」、または、「チェックする」などのような用語を利用する議論は、コンピューター、コンピューティング・プラットフォーム、コンピューティング・システム、または、他の電子的なコンピューティングデバイスの動作および／またはプロセスを表すことが可能であり、それは、コンピューターのレジスターおよび／またはメモリーの中の物理的な（たとえば、電子的な）量として表されているデータを、動作および／またはプロセスを実施するためのインストラクションを記憶することができるコンピューターのレジスターおよび／またはメモリーまたは他の非一時的な情報ストレージ媒体の中の物理的な量として同様に表される他のデータへと操作および／または変換する。本発明の実施形態はこの点において限定されていないが、本明細書で使用されているような「複数（ｐｌｕｒａｌｉｔｙ）」および「複数（ａ  ｐｌｕｒａｌｉｔｙ）」の用語は、たとえば、「複数の（ｍｕｌｔｉｐｌｅ）」または「２つ以上の」を含むことが可能である。「複数（ｐｌｕｒａｌｉｔｙ）」および「複数（ａ  ｐｌｕｒａｌｉｔｙ）」の用語は、２つ以上のコンポーネント、デバイス、エレメント、ユニット、またはパラメーターなどを説明するために、本明細書の全体を通して使用され得る。本明細書において使用されているときの用語のセットは、１つまたは複数のアイテムを含むことが可能である。明示的に述べられていないが、本明細書で説明されている方法の実施形態は、特定の順序またはシーケンスに拘束されない。追加的に、説明されている方法の実施形態またはそのエレメントのうちのいくつかは、同時に、同じ時点において、または並行に、起こることが可能であるかまたは実施され得る。
【図１】
2019526345.tif 000003
【図２】
2019526345.tif 000004
【図２Ａ】
2019526345.tif 000005
【図２Ｂ】
2019526345.tif 000006
【図２Ｃ】
2019526345.tif 000007
【図２Ｄ】
2019526345.tif 000008
【図２Ｅ】
2019526345.tif 000009
【図２Ｆ】
2019526345.tif 000010
【図３Ａ】
2019526345.tif 000011
【図３Ｂ】
2019526345.tif 000012
【図４Ａ】
2019526345.tif 000013
【図４Ｂ】
2019526345.tif 000014
【図４Ｃ】
2019526345.tif 000015
【図４Ｄ】
2019526345.tif 000016
【図４Ｅ】
2019526345.tif 000017
【図５Ａ】
2019526345.tif 000018
【図５Ｂ】
2019526345.tif 000019
【図５Ｃ】
2019526345.tif 000020
【図５Ｄ】
2019526345.tif 000021
【図６Ａ】
2019526345.tif 000022
【図６Ｂ】
2019526345.tif 000023
【図６Ｃ】
2019526345.tif 000024
【図６Ｄ】
2019526345.tif 000025
【図７Ａ】
2019526345.tif 000026
【図７Ｂ】
2019526345.tif 000027
【図８Ａ】
2019526345.tif 000028
【図８Ｂ】
2019526345.tif 000029
【図８Ｃ】
2019526345.tif 000030
【図９Ａ】
2019526345.tif 000031
【図９Ｂ】
2019526345.tif 000032
【図９Ｃ】
2019526345.tif 000033
【図９Ｄ】
2019526345.tif 000034
【図９Ｅ】
2019526345.tif 000035
【図１０】
2019526345.tif 000036
【図１１Ａ】
2019526345.tif 000037
【図１１Ｂ】
2019526345.tif 000038
【図１１Ｃ−１１Ｄ】
2019526345.tif 000039
【図１１Ｅ】
2019526345.tif 000040
【図１１Ｆ】
2019526345.tif 000041
【図１１Ｇ】
2019526345.tif 000042
【図１１Ｈ】
2019526345.tif 000043
【図１１Ｉ】
2019526345.tif 000044
【図１１Ｊ】
2019526345.tif 000045
【図１１Ｋ】
2019526345.tif 000046
【図１２Ａ−１２Ｃ】
2019526345.tif 000047
【図１２Ｄ】
2019526345.tif 000048
【図１３Ａ】
2019526345.tif 000049
【図１３Ｂ】
2019526345.tif 000050
【図１４Ａ】
2019526345.tif 000051
【図１４Ｂ】
2019526345.tif 000052
【図１４Ｃ】
2019526345.tif 000053
【図１４Ｄ】
2019526345.tif 000054
【図１４Ｅ】
2019526345.tif 000055
【図１４Ｆ】
2019526345.tif 000056
【図１４Ｇ】
2019526345.tif 000057
【図１４Ｈ】
2019526345.tif 000058
【図１４Ｉ】
2019526345.tif 000059
【国際調査報告】
2019526345.tif 000060
2019526345.tif 000061
2019526345.tif 000062